(57)【特許請求の範囲】
【請求項１】
第１充電モード及び第２充電モードをサポートするアダプターであって、
入力される交流を変換し、前記アダプターの出力電圧及び出力電流を取得するための電力変換ユニットと、
前記電力変換ユニットに接続されるサンプリング保持ユニットと、
前記サンプリング保持ユニットに接続される電流取得制御ユニットと、を含み、
前記第１充電モードが定電圧モードであり、前記第２充電モードが定電流モードであり、前記第２充電モードにおいて、前記アダプターの出力電圧及び出力電流が前記充電される装置の電池の両端に直接印加されて前記電池を直接充電し、
前記アダプターの出力電流が第１パルス波形の電流であり、
前記サンプリング保持ユニットがサンプリング状態にある場合、前記サンプリング保持ユニットは、前記第１パルス波形の電流に対してサンプリングを行うために用いられ、前記サンプリング保持ユニットが保持状態にある場合、前記サンプリング保持ユニットは、前記第１パルス波形の電流のピーク値を保持するために用いられ、
前記電流取得制御ユニットは、前記サンプリング保持ユニットが保持状態にあるか否かを判断するために用いられ、前記サンプリング保持ユニットが前記保持状態にあると判断する場合に、前記サンプリング保持ユニットによって保持される前記第１パルス波形の電流のピーク値を取得することを特徴とするアダプター。
【請求項２】
前記電流取得制御ユニットは、具体的には、同期信号を受信するために用いられ、前記同期信号に基づいて前記サンプリング保持ユニットが保持状態にあるか否かを判断し、
前記電流取得制御ユニットは、前記サンプリング保持ユニットから前記同期信号を取得し、前記第１パルス波形の周期と前記同期信号の周期が同じであり、
前記同期信号の周期は、前記第１パルス波形の周期の１/Ｎであり、Ｎは、１以上の整数であることを特徴とする請求項１に記載のアダプター。
【請求項３】
前記サンプリング保持ユニットは、第１パルス波形の電流に対してサンプリングを行い、サンプリング電流を取得し、前記サンプリング電流をサンプリング電圧に変換し、前記サンプリング電圧を同期信号として、電流取得制御ユニットに送信するために用いられ、
前記サンプリング電圧は、第１パルス波形の電流の大きさを示すことを特徴とする請求項２に記載のアダプター。
【請求項４】
前記電流取得制御ユニットは、前記同期信号に基づいて、前記第１パルス波形がピーク値又は立ち下がりエッジにあるか否かを判断し、前記第１パルス波形がピーク値又は立ち下がりエッジにあると判断する場合に、前記サンプリング保持ユニットによって保持される前記第１パルス波形の電流のピーク値を取得することを特徴とする請求項２または３に記載のアダプター。
【請求項５】
前記電流取得制御ユニットは、コンパレータと、制御ユニットと、を含み、
前記コンパレータの第１入力端は、前記同期信号を受信するために用いられ、
前記コンパレータの第２入力端は、基準電圧を受信するために用いられ、
前記制御ユニットが前記コンパレータの出力端に接続され、前記同期信号の電圧と前記基準電圧との比較結果に基づいて、前記第１パルス波形がピーク値又は立ち下がりエッジにあるか否かを判断することを特徴とする請求項４に記載のアダプター。
【請求項６】
前記電流取得制御ユニットは、比較ユニットと、制御ユニットと、を含み、
前記比較ユニットは、コンデンサ及びコンパレータを含み、
前記コンデンサは、前記同期信号を受信するために用いられ、前記同期信号における直流信号をフィルタリングして、ゼロ交差点の交流信号を取得し、
前記コンパレータの第１入力端が前記コンデンサに接続され、前記交流信号を受信するために用いられ、
前記コンパレータの第２入力端は、基準電圧を受信するために用いられ、
前記コンパレータは、前記交流信号の電圧と前記基準電圧とを比較するために用いられ、
前記制御ユニットは、前記コンパレータの出力端に接続され、前記交流信号の電圧と前記基準電圧の比較結果に基づいて、前記第１パルス波形がピーク値又は立ち下がりエッジにあるか否かを判断し、前記基準電圧の電圧値を０とすることを特徴とする請求項４に記載のアダプター。
【請求項７】
前記電流取得制御ユニットは、前記第１パルス波形の電流のピーク値を取得した後、前記サンプリング保持ユニットを制御して保持状態からサンプリング状態に変換させるために用いられることを特徴とする請求項１から６のいずれかに記載のアダプター。
【請求項８】
前記サンプリング保持ユニットは、コンデンサを含み、
前記サンプリング保持ユニットは、前記サンプリング保持ユニットにおけるコンデンサにより、前記第１パルス波形の電流のピーク値を保持し、
前記電流取得制御ユニットは、放電ユニットと、制御ユニットと、を含み、
前記放電ユニットは、前記制御ユニット及び前記サンプリング保持ユニットにおけるコンデンサにそれぞれ接続され、
前記放電ユニットは、前記制御ユニットの制御下で、前記サンプリング保持ユニットにおけるコンデンサの両端の電荷を放出するために用いられ、前記サンプリング保持ユニットを保持状態からサンプリング状態に変換させることを特徴とする請求項７に記載のアダプター。
【請求項９】
電圧調整ユニットをさらに含み、
前記電圧調整ユニットは、前記電力変換ユニットに接続され、前記アダプターの出力電圧を検出して調整するために用いられ、
前記電流取得制御ユニットは、前記電圧調整ユニットに接続され、前記電圧調整ユニットを介して、前記第１パルス波形の電流のピーク値を調整することを特徴とする請求項１から８のいずれかに記載のアダプター。
【請求項１０】
前記サンプリング保持ユニットは、
前記電力変換ユニットに接続され、前記第１パルス波形の電流を検出して、サンプリング電流を取得し、前記サンプリング電流をサンプリング電圧に変換するための電流サンプリングユニットと、
前記電流サンプリングユニット及び前記電流取得制御ユニットに接続され、前記電流サンプリングユニットから前記サンプリング電圧を受信し、前記サンプリング電圧に基づいて自身におけるコンデンサを充電する電流保持ユニットと、を含み、
前記サンプリング電圧は、第１パルス波形の電流の大きさを示すために用いられ、
前記電流取得制御ユニットは、前記サンプリング保持ユニットにおけるコンデンサの両端の電圧を検出することにより、前記第１パルス波形の電流のピーク値を取得することを特徴とする請求項１から９のいずれかに記載のアダプター。
【請求項１１】
前記電流取得制御ユニットは、アナログデジタル変換器ＡＤＣを含み、
前記電流取得制御ユニットは、前記ＡＤＣにより前記第１パルス波形の電流のピーク値を取得することを特徴とする請求項１から１０のいずれかに記載のアダプター。
【請求項１２】
前記アダプターの前記第２充電モードで充電される、前記充電される装置への充電速度が、前記アダプターの前記第１充電モードで充電される、前記充電される装置への充電速度より速く、
前記第１パルス波形の電流が前記アダプターの前記第２充電モードでの出力電流であり、
前記アダプターは、制御ユニットを含み、
前記アダプターが前記充電される装置と接続する過程において、前記制御ユニットが前記充電される装置と双方向通信を行い、前記第２充電モードで前記アダプターの出力を制御することを特徴とする請求項１から１１のいずれかに記載のアダプター。
【請求項１３】
前記制御ユニットが前記充電される装置と双方向通信を行い、
前記第２充電モードにおいて、前記アダプターの出力を制御する過程は、
前記制御ユニットが前記充電される装置と双方向通信を行い、前記アダプターと前記充電される装置との間の充電モードをネゴシエーションすることを含むことを特徴とする請求項１２に記載のアダプター。
【請求項１４】
前記制御ユニットが前記充電される装置と双方向通信を行い、前記アダプターと前記充電される装置との間の充電モードをネゴシエーションすることは、
前記制御ユニットが、前記充電される装置に前記第２充電モードをオンにするか否かを問い合わせる第１命令を送信することと、
前記制御ユニットが前記充電される装置から送信される前記第２充電モードをオンにすることに同意するかどうかを示すための前記第１命令の応答コマンドを受信することと、
前記充電される装置が前記第２充電モードをオンにすることに同意する場合に、前記制御ユニットが前記第２充電モードを使用して前記充電される装置を充電することを含むことを特徴とする請求項１３に記載のアダプター。
【請求項１５】
前記制御ユニットが前記充電される装置と双方向通信を行い、前記第２充電モードにおいて、前記アダプターの出力を制御する過程は、
前記制御ユニットが前記充電される装置と双方向通信を行い、前記第２充電モードにおいて、前記アダプターが出力する前記充電される装置を充電するための充電電圧を判断することと、
前記制御ユニットが前記アダプターの出力電圧に対して調整を行い、前記アダプターの出力電圧と、前記第２充電モードにおいて、前記アダプターが出力する前記充電される装置を充電するための充電電圧とを等しくすることを含むことを特徴とする請求項１２から１４のいずれかに記載のアダプター。
【請求項１６】
前記制御ユニットが前記充電される装置と双方向通信を行い、前記第２充電モードで前記アダプターが出力する前記充電される装置を充電するための充電電圧を判断することは、
前記制御ユニットが前記充電される装置に前記アダプターの出力電圧が前記充電される装置の電池の現在の電圧とマッチングするかどうかを問い合わせる第２命令を送信することと、
前記制御ユニットが前記充電される装置から送信される前記アダプターの出力電圧が前記電池の現在の電圧とマッチングし、やや高い又はやや低いことを示すための前記第２命令の応答コマンドを受信することを含むことを特徴とする請求項１５に記載のアダプター。
【請求項１７】
前記制御ユニットが前記充電される装置と双方向通信を行い、前記第２充電モードにおいて、前記アダプターの出力を制御する過程は、
前記制御ユニットが前記充電される装置と双方向通信を行い、前記第２充電モードにおいて、前記アダプターが出力する前記充電される装置を充電するための充電電流を判断することと、
前記制御ユニットが前記第１パルス波形の電流のピーク値に対して調整を行い、前記第１パルス波形の電流のピーク値と、前記第２充電モードにおいて、前記アダプターが出力する前記充電される装置を充電するための充電電流とを等しくすることを含むことを特徴とする請求項１２から１６のいずれかに記載のアダプター。
【請求項１８】
前記制御ユニットが前記充電される装置と双方向通信を行い、前記第２充電モードにおいて、前記アダプターが出力する前記充電される装置を充電するための充電電流を判断することは、
前記制御ユニットが前記充電される装置に現在サポートできる最大充電電流を問い合わせる第３命令を送信することと、
前記制御ユニットが前記充電される装置から送信される前記充電される装置の現在サポートできる最大充電電流を示すための前記第３命令の応答コマンドを受信することと、
前記制御ユニットが前記充電される装置の現在サポートできる最大充電電流に応じて、前記第２充電モードにおいて、前記アダプターが出力する前記充電される装置を充電するための充電電流を判断することを含むことを特徴とする請求項１７に記載のアダプター。
【請求項１９】
前記制御ユニットが前記充電される装置と双方向通信を行い、前記第２充電モードにおいて、前記アダプターの出力を制御する過程は、
前記第２充電モードを使用して充電する過程において、前記制御ユニットが前記充電される装置と双方向通信を行い、前記第１パルス波形の電流のピーク値を調整することを含むことを特徴とする請求項１２から１８のいずれかに記載のアダプター。
【請求項２０】
前記制御ユニットが前記充電される装置と双方向通信を行い、前記第１パルス波形の電流のピーク値を調整することは、
前記制御ユニットが前記充電される装置に、前記充電される装置の電池の現在の電圧を問い合わせる第４命令を送信することと、
前記制御ユニットが前記アダプターから送信される前記電池の現在の電圧を示すための前記第４命令の応答コマンドを受信することと、
前記制御ユニットが前記電池の現在の電圧に応じて、前記第１パルス波形の電流のピーク値を調整することを含むことを特徴とする請求項１９に記載のアダプター。
【請求項２１】
アダプターに適用する充電制御方法であって、
前記アダプターは、第１充電モード及び第２充電モードをサポートし、
前記第１充電モードが定電圧モードであり、
前記第２充電モードが定電流モードであり、
前記第２充電モードにおいて、前記アダプターの出力電圧及び出力電流が前記充電される装置の電池の両端に直接印加されて前記電池を直接充電し、
前記アダプターは、電力変換ユニットと、サンプリング保持ユニットとを含み、
前記電力変換ユニットは、入力される交流を変換し、前記アダプターの出力電圧及び出力電流を取得するために用いられ、
前記アダプターの出力電流が第１パルス波形の電流であり、
前記サンプリング保持ユニットが前記電力変換ユニットに接続され、前記サンプリング保持ユニットがサンプリング状態にある場合、前記サンプリング保持ユニットは、前記第１パルス波形の電流に対してサンプリングを行うために用いられ、前記サンプリング保持ユニットが保持状態にある場合、前記サンプリング保持ユニットは、前記第１パルス波形の電流のピーク値を保持するために用いられ、
前記方法は、
前記サンプリング保持ユニットが保持状態にあるか否かを判断するステップと、
前記サンプリング保持ユニットが前記保持状態にあると判断する場合に、前記サンプリング保持ユニットによって保持される前記第１パルス波形の電流のピーク値を取得するステップと、を含むことを特徴とする充電制御方法。
【請求項２２】
前記サンプリング保持ユニットが保持状態にあるか否かを判断するステップは、
周期が前記第１パルス波形の周期の１／Ｎである同期信号を受信するステップと、
前記同期信号に基づいて、前記サンプリング保持ユニットが保持状態にあるか否かを判断するステップと、を含み、
Ｎが１以上の整数であることを特徴とする請求項２１に記載の充電制御方法。
【請求項２３】
前記同期信号に基づいて、前記サンプリング保持ユニットが保持状態にあるか否かを判断するステップは、
前記同期信号に基づいて、前記第１パルス波形がピーク値又は立ち下がりエッジにあるか否かを判断するステップと、
前記第１パルス波形がピーク値又は立ち下がりエッジにあると判断する場合に、前記サンプリング保持ユニットが保持状態にあると判断するステップと、を含むことを特徴とする請求項２２に記載の充電制御方法。
【請求項２４】
前記同期信号に基づいて、前記第１パルス波形がピーク値又は立ち下がりエッジにあるか否かを判断するステップは、
前記同期信号の電圧と基準電圧との比較結果に基づいて、前記第１パルス波形がピーク値又は立ち下がりエッジにあるか否かを判断するステップを含むことを特徴とする請求項２３に記載の充電制御方法。
【請求項２５】
前記アダプターの前記第２充電モードにおいて、充電される装置に対する充電速度が前記アダプターの前記第１充電モードにおいて、前記充電される装置に対する充電速度より速く、前記第１パルス波形の電流が前記アダプターの前記第２充電モードにおける出力電流であり、
前記方法は、
前記アダプターが充電される装置と接続する過程において、前記充電される装置と双方向通信を行い、前記第２充電モードにおいて、前記アダプターの出力を制御するステップをさらに含み、
前記充電される装置と双方向通信を行い、前記第２充電モードにおける前記アダプターの出力を制御するステップは、
前記充電される装置に前記充電される装置が前記第２充電モードをオンにするか否かを問い合わせる第１命令を送信するステップと、
前記充電される装置から送信される前記充電される装置が前記第２充電モードをオンにすることに同意するかどうかを示すための前記第１命令の応答コマンドを受信するステップと、
前記充電される装置が前記第２充電モードをオンにすることに同意する場合に、前記第２充電モードを使用して前記充電される装置を充電するステップと、を含むことを特徴とする請求項２１から２４のいずれかに記載の充電制御方法。
【発明の詳細な説明】
【技術分野】
【０００１】
本発明の実施例は充電分野に関し、さらに具体的には、アダプター及び充電制御方法に関する。
【背景技術】
【０００２】
アダプターは、電源アダプターとも呼ばれる充電される装置（例えば端末）を充電するものである。現在市販されているアダプターは、一般的に定電圧方法を採用して充電される装置（例えば端末）を充電する。充電される装置における電池は、一般的にリチウム電池であるため、定電圧方法を使用して充電される装置を充電すると、リチウム析出現象を容易に引き起こし、電池の寿命低下につながる。
【発明の概要】
【０００３】
本出願の実施例は、アダプター及び充電制御方法を提供し、電池のリチウム析出現象を低減し、電池の使用寿命を向上する。
【０００４】
本発明の実施例は、アダプター及び充電制御方法を提供し、電池のリチウム析出現象を低減し、電池の使用寿命を向上する。
【０００５】
第１態様がアダプターを提供する。前記アダプターは、第１充電モード及び第２充電モードをサポートする。前記第１充電モードが定電圧モードであり、前記第２充電モードが定電流モードである。前記第２充電モードにおいて、前記アダプターの出力電圧及び出力電流が前記充電される装置の電池の両端に直接印加されて前記電池を直接充電する。前記アダプターは、入力される交流を変換し、前記アダプターの出力電圧及び出力電流を取得するための電力変換ユニットと、前記電力変換ユニットに接続されるサンプリング保持ユニットと、前記サンプリング保持ユニットに接続される電流取得制御ユニットと、を含む。前記アダプターの出力電流が第１パルス波形の電流であり、前記サンプリング保持ユニットがサンプリング状態にある場合、前記サンプリング保持ユニットは、前記第１パルス波形の電流に対してサンプリングを行うために用いられ、前記サンプリング保持ユニットが保持状態にある場合、前記サンプリング保持ユニットは、前記第１パルス波形の電流のピーク値を保持するために用いられる。前記電流取得制御ユニットは、前記サンプリング保持ユニットが保持状態にあるか否かを判断するために用いられ、前記サンプリング保持ユニットが前記保持状態にあると判断する場合に、前記サンプリング保持ユニットによって保持される前記第１パルス波形の電流のピーク値を取得する。
【０００６】
第２態様は充電制御方法を提供する。前記方法は、アダプターに適用され、前記アダプターは、第１充電モード及び第２充電モードをサポートする。前記第１充電モードが定電圧モードであり、前記第２充電モードが定電流モードである。前記第２充電モードにおいて、前記アダプターの出力電圧及び出力電流が前記充電される装置の電池の両端に直接印加されて前記電池を直接充電する。前記アダプターは、電力変換ユニットと、サンプリング保持ユニットと、を含む。前記電力変換ユニットは、入力される交流を変換し、前記アダプターの出力電圧及び出力電流を取得するために用いられ、前記アダプターの出力電流が第１パルス波形の電流である。前記サンプリング保持ユニットが前記電力変換ユニットに接続され、前記サンプリング保持ユニットがサンプリング状態にある場合、前記サンプリング保持ユニットは、前記第１パルス波形の電流に対してサンプリングを行うために用いられ、前記サンプリング保持ユニットが保持状態にある場合、前記サンプリング保持ユニットは、前記第１パルス波形の電流のピーク値を保持するために用いられる。前記方法は、前記サンプリング保持ユニットが保持状態にあるか否かを判断するステップと、前記サンプリング保持ユニットが前記保持状態にあると判断する場合に、前記サンプリング保持ユニットによって保持される前記第１パルス波形の電流のピーク値を取得するステップと、を含む。
【０００７】
本発明の実施例のアダプターの出力電流は、パルス波形の電流（又はパルス直流電と称する）であり、パルス波形の電流は、電池のリチウム析出現象を低減することができる。また、パルス波形の電流は、充電インターフェースの接点のアーク放電の確率及び強度を減少し、充電インターフェースの寿命を向上することができる。
【図面の簡単な説明】
【０００８】
本発明の実施例の技術方案をより明確に説明するために、以下、本発明の実施例において使用する必要のある図面を簡単に説明する。以下説明する図面は単に本発明の一部の実施例であり、当業者にとって、創造的労働を貢献しない前提で、これらの図面に基づいて、他の図面をさらに得られることは明らかである。
【図１】本発明の一実施例の第２アダプターの概略構成図である。
【図２Ａ】本発明の実施例のパルス波形の概略図である。
【図２Ｂ】本発明の実施例のパルス波形の概略図である。
【図３】本発明の別の一実施例の第２アダプターの概略構成図である。
【図４】本発明の別の一実施例の第２アダプターの概略構成図である。
【図５】本発明の実施例の同期信号と第１パルス波形との位相関係の例を示す図である。
【図６】本発明のまた別の一実施例の第２アダプターの概略構成図である。
【図７】本発明のまた別の一実施例の第２アダプターの概略構成図である。
【図８】本発明のまた別の一実施例の第２アダプターの概略構成図である。
【図９】本発明の実施例の同期信号の取得方法の例を示す図である。
【図１０】本発明の一実施例の電流取得制御ユニットの概略構成図である。
【図１１】本発明の一実施例の基準電圧、コンパレータの出力レベル及び第２アダプターの出力電流の波形関係概略図である。
【図１２】本発明の別の一実施例の基準電圧、コンパレータの出力レベル及び第２アダプターの出力電流の波形関係概略図である。
【図１３】本発明の別の一実施例の電流取得制御ユニットの概略構成図である。
【図１４】本発明のまた別の一実施例の第２アダプターの概略構成図である。
【図１５】本発明のまた別の一実施例の第２アダプターの概略構成図である。
【図１６】本発明のまた別の一実施例の第２アダプターの概略構成図である。
【図１７】本発明のまた別の一実施例の第２アダプターの概略構成図である。
【図１８】本発明のまた別の一実施例の第２アダプターの概略構成図である。
【図１９Ａ】本発明の実施例の第２アダプターと充電される装置との接続方法の概略図である。
【図１９Ｂ】本発明の実施例の急速充電通信プロセスの概略図である。
【図２０】本発明のまた別の一実施例の第２アダプターの概略構成図である。
【図２１】本発明の一実施例の第２アダプターの回路構成概略図である。
【図２２】本発明の別の一実施例の第２アダプターの回路構成概略図である。
【図２３】本発明の実施例の充電制御方法の概略流れ図である。
【発明を実施するための形態】
【０００９】
以下、本発明の実施例における添付図面を参照して、本発明の実施例における技術方案について明確かつ完全な説明を行う。説明される実施例は、本発明の一部の実施例であり、すべての実施例ではないことは明らかである。本発明における実施例に基づいて、当業者が出創造的労働をしない前提で得られるすべての他の実施例は、本発明の保護範囲に属する。
【００１０】
関連技術において、充電される装置（例えば端末）を充電するための第１アダプターが知られている。該第１アダプターは、定電圧モードで作動する。定電圧モードにおいて、該第１アダプターの出力電圧は、基本的に、例えば５Ｖ、９Ｖ、１２Ｖ又は２０Ｖなどの固定値に維持される。
【００１１】
該第１アダプターの出力電圧は、直接に電池の両端に加えるのに適しておらず、充電される装置（例えば端末）内の電池に所望の充電電圧及び/又は充電電流を得るために、先ずは、充電される装置（例えば端末）内の変換回路を経由して変換を行う必要がある。
【００１２】
変換回路は、第１アダプターの出力電圧に対して変換を行うために用いられ、電池の所望の充電電圧及び/又は、充電電流の要求を満たすようになっている。
【００１３】
一例として、該変換回路は、充電管理モジュール、例えば充電集積回路（ｉｎｔｅｇｒａｔｅｄ  ｃｉｒｃｕｉｔ，ＩＣ）を指す。電池の充電過程において、電池の充電電圧及び/又は、充電電流に対して管理を行う。該変換回路は、電圧フィードバックモジュールの機能を有し、及び/又は電流フィードバックモジュールの機能を有することにより、電池の充電電圧及び/又は充電電流に対する管理を実現する。
【００１４】
例えば、電池の充電過程は、トリクル充電段階、定電流充電段階及び定電圧充電段階のうちの一つ又は複数を含むことができる。トリクル充電段階において、変換回路は、電流フィードバックループを利用して、トリクル充電段階で電池に流れ込む電流が電池の所望の充電電流の大きさ（例えば第１充電電流）を満たすようにすることができる。定電流充電段階において、変換回路は電流フィードバックループを利用して、定電流充電段階で電池に流れ込む電流が電池の所望の充電電流の大きさ（例えば第２充電電流。第２充電電流は第１充電電流より大きくてもよい）を満たすようにすることができる。定電圧充電段階において、変換回路は電圧フィードバックループを利用して定電圧充電段階で電池の両端に加える電圧が電池の所望の充電電圧の大きさを満たすようにすることができる。
【００１５】
一例として、第１アダプターの出力電圧が電池の所望の充電電圧より大きい場合、降圧変換した後に得られる充電電圧が電池の所望の充電電圧の要求を満たすように、変換回路は、第１アダプターの出力電圧に対して降圧処理を行うことができる。また一例として、第１アダプターの出力電圧が電池の所望の充電電圧より小さい場合、昇圧変換した後に得られる充電電圧が電池の所望の充電電圧の要求を満たすように、変換回路は、第１アダプターの出力電圧に対して昇圧処理を行うことができる。
【００１６】
一例として、例えば、第１アダプターが５Ｖの定値電圧を出力する。電池は、単一セル（例えばリチウム電池セル、単一セルの充電カットオフ電圧が４．２Ｖである）を含む場合、降圧した後に得られる充電電圧が電池の所望の充電電圧の要求を満たすように、変換回路（例えばＢｕｃｋ降圧回路）は、第１アダプターの出力電圧に対して降圧処理を行うことができる。
【００１７】
一例として、例えば、第１アダプターが５Ｖの定値電圧を出力する。第１アダプターが二つ及び二つ以上の単一セルを直列接続した電池（例えばリチウム電池セル、単一セルの充電カットオフ電圧が４．２Ｖである）を充電する場合、昇圧した後に得られる充電電圧が電池の所望の充電電圧の要求を満たすように、変換回路（例えばＢｏｏｓｔ昇圧回路）は、第１アダプターの出力電圧に対して昇圧処理を行うことができる。
【００１８】
変換回路が回路の変換効率の低下により制限されると、変換されない分の電気エネルギーが熱量の形で失われる。この部分の熱量が充電される装置（例えば端末）の内部に集まる。充電される装置（例えば端末）の設計スペース及び放熱スペースが非常に小さいため（例えば、ユーザが使用する移動端末の物理的なサイズはますます薄くなるが、移動端末のパフォーマンスを向上させるために、移動端末内に数多くの電子コンポーネントを密に配列するようになるため）、変換回路の設計難易度が上がり、充電される装置（例えば端末）内に集まる熱量の迅速な除去が難しくなり、充電される装置（例えば端末）の異常を引き起こす。
【００１９】
例えば、変換回路に集まる熱量は、変換回路の付近の電子コンポーネントに対して熱干渉を引き起こす可能性があり、電子コンポーネントの作動異常につながる。また、例えば、変換回路に集まる熱量は、変換回路及び付近の電子コンポーネントの使用寿命を短縮する可能性がある。また、例えば、変換回路に集まる熱量は、電池に対して熱干渉を引き起こす可能性があり、電池の充放電異常につながる。また、例えば、変換回路に集まる熱量は、充電される装置（例えば端末）の温度上昇を引き起こす可能性があり、充電中におけるユーザの使用体験に影響を及ぼす。また、例えば、変換回路に集まる熱量は、変換回路自体の短絡を引き起こす可能性があり、第１アダプターの出力電圧が直接に電池の両端に加えることにより、充電異常を引き起こす。また、電池が長時間過電圧充電状態にある場合、電池の爆発をも引き起こし、ユーザの安全を危険にさらす。
【００２０】
本発明の実施例は、出力電圧調節可能の第２アダプターを提供する。該第２アダプターは、電池の状態情報を取得することができる。電池の状態情報は、電池の現在の電力量情報及び/又は電圧情報を含むことができる。該第２アダプターは、取得される電池の状態情報に基づいて第２アダプター自体の出力電圧を調節することにより、電池の所望の充電電圧及び/又は充電電流の要求を満たすができる。さらに、電池充電過程の定電流充電段階において、第２アダプターによって調節された後の出力電圧は、直接電池の両端に加えて電池を充電することができる。
【００２１】
電池の充電電圧及び/又は充電電流に対する管理を実現するために、該第２アダプターは、電圧フィードバックモジュールの機能及び電流フィードバックモジュールの機能を有することができる。
【００２２】
該第２アダプターは、取得した電池の状態情報に基づいて第２アダプター自体の出力電圧を調節し、電池の状態情報をリアルタイムに取得し、毎回取得される電池のリアルタイム状態情報に基づいて第２アダプター自体の出力電圧を調節して、電池の所望の充電電圧及び/又は充電電流に適合させる。
【００２３】
該第２アダプターは、リアルタイムに取得される電池の状態情報に基づいて第２アダプター自体の出力電圧を調節するとは、充電過程における電池の電圧が絶えず上昇するにつれて、第２アダプターは、充電過程における異なる時刻の電池の現在の状態情報を取得し、電池の現在の状態情報に基づいて第２アダプター自体の出力電圧をリアルタイムに調節することができ、電池の所望の充電電圧及び/又は充電電流の要求を満たす。
【００２４】
例えば、電池の充電過程は、トリクル充電段階、定電流充電段階及び定電圧充電段階のうちの一つ又は複数を含むことができる。トリクル充電段階において、第２アダプターは、電流フィードバックループを利用して、トリクル充電段階で第２アダプターから出力されて電池に流れ込む電流が、電池の所望の充電電流の要求（例えば第１充電電流）を満たすようにすることができる。定電流充電段階において、第２アダプターは、電流フィードバックループを利用して、定電流充電段階で第２アダプターから出力されて電池に流れ込む電流が電池の所望の充電電流の要求（例えば第２充電電流，該第２充電電流は第１充電電流より大きくてもよい）を満たすことができ、また、定電流充電段階において、第２アダプターは、出力される充電電圧を直接電池の両端に加えて充電することができる。定電圧充電段階において、第２アダプターは電圧フィードバックループを利用し、第２アダプターから出力される電圧が電池の所望の充電電圧の要求を満たす。
【００２５】
トリクル充電段階及び定電圧充電段階について、第２アダプターの出力電圧は、第１アダプターに類似する処理方法を採用してもよい。すなわち、充電される装置（例えば端末）内の変換回路を経由して変換を行うことにより、充電される装置（例えば端末）内の電池の所望の充電電圧及び/又は充電電流を得ることができる。
【００２６】
電池の充電過程の確実性及び安全性を向上させるため、本発明の実施例は、第２アダプターを制御してパルス波形を有する電圧/電流を出力するようにしている。以下、図１を参照して、本発明の実施例の第２アダプターについて詳しく説明する。
【００２７】
図１は、本発明の実施例の第２アダプターの概略構成図である。図１の第２アダプター１０は、電力変換ユニット１１と、サンプリング保持ユニット１２と、電流取得制御ユニット１３とを含む。
【００２８】
電力変換ユニット１１は、第２アダプター１０の出力電圧及び出力電流を得るため、入力される交流を変換する。第２アダプター１０の出力電流は、第１パルス波形の電流である。
【００２９】
サンプリング保持ユニット１２が電力変換ユニット１１に接続されている。サンプリング保持ユニット１２がサンプリング状態にある場合、サンプリング保持ユニット１２は、第１パルス波形の電流に対してサンプリングを行う。サンプリング保持ユニット１２が保持状態にある場合、サンプリング保持ユニット１２は、第１パルス波形の電流のピーク値を保持（又はロックアップ）する。
【００３０】
電流取得制御ユニット１３がサンプリング保持ユニット１２に接続される。電流取得制御ユニット１３は、サンプリング保持ユニット１２が保持状態にあるか否かを判断し、サンプリング保持ユニット１２が保持状態にあると判断すると、サンプリング保持ユニット１２の保持する第１パルス波形の電流のピーク値を取得する。
【００３１】
本発明の実施例の第２アダプターの出力電流は、パルス波形の電流（又はパルス直流電流と称する）であり、パルス波形の電流は、電池のリチウム析出現象を低減する。また、パルス波形の電流は、充電インターフェースの接点のアーク放電の確率及び強度を減少し、充電インターフェースの寿命を向上する。
【００３２】
第２アダプターは、一般的に、実際の状況に応じて第２アダプターの出力電流を調整する。定電流モードをサポートする第２アダプターを例として、第２アダプターは、一般的に、充電される装置（例えば端末）の電池の電圧に基づいて第２アダプターの出力電流を絶えず調節し、段階化定電流の形式で電池を充電する。そのため、充電過程において、第２アダプターの出力電流をリアルタイムに検出及び制御する必要がある。第２アダプターの出力電流の電流値が固定値である場合、第２アダプターの出力電流の検出及び制御が比較的容易に実現される。しかし、本発明の実施例において、第２アダプターの出力電流は、第１パルス波形を有する電流であり、第１パルス波形の電流の振幅が変動するため、第２アダプターの出力電流を検出及び制御する専門的な方法を設計する必要がある。
【００３３】
これに鑑みて、本発明の実施例は、サンプリング保持ユニット１２及び電流取得制御ユニット１３を導入し、サンプリング保持ユニット１２及び電流取得制御ユニット１３により、第２アダプターの出力電流のピーク値を取得することとした。したがって、第２アダプターが出力電流に対する有効な制御を確保することができる。
【００３４】
上記に示すように、第２アダプターの出力電流は、第１パルス波形の電流である。本文におけるパルス波形は、完全なパルス波形であってもよく、完全なパルス波形をクリッピング処理した後に得られるパルス波形であってもよい。上記クリッピング処理とは、パルス波形における所定の閾値を超える部分をフィルタリングすることを指してもよく、これにより、パルス波形のピーク値を制御することができる。図２Ａに示される実施例において、パルス波形は、完全なパルス波形であり、図２Ｂに示される実施例において、パルス波形は、クリッピング処理後のパルス波形である。
【００３５】
なお、本発明の実施例は、電力変換ユニット１１が交流を第１パルス波形の電流に変換する方法に特に限定されないことを理解されたい。例えば、電力変換ユニット１１における一次フィルタユニット及び二次フィルタユニットを除去し、第１パルス波形の電流を形成することとしてもよい。このようにして、第２アダプター１０が第１パルス波形の電流を出力することができるだけでなく、第２アダプター１０の大きさを大幅に小さくすることができ、第２アダプター１０の小型化を図ることができる。
【００３６】
本発明の実施例において、使用される充電される装置は、「通信端末」（又は「端末」と略す）であることが可能であり、有線回線を経由して接続する（例えば、公衆交換電話網（ｐｕｂｌｉｃ  ｓｗｉｔｃｈｅｄ  ｔｅｌｅｐｈｏｎｅ  ｎｅｔｗｏｒｋ,  ＰＳＴＮ）、デジタル加入者線（ｄｉｇｉｔａｌ  ｓｕｂｓｃｒｉｂｅｒ  ｌｉｎｅ,  ＤＳＬ）、デジタルケーブル、直接ケーブル接続を経由して接続し、及び/又は別のデータネットワークを経由して接続する) 及び/又は （例えば、セルラーネットワーク、無線ＬＡＮ（ｗｉｒｅｌｅｓｓ  ｌｏｃａｌ  ａｒｅａ  ｎｅｔｗｏｒｋ,  ＷＬＡＮ）、例えば、デジタルビデオブロードキャスティングハンドヘルド（ｄｉｇｉｔａｌ  ｖｉｄｅｏ  ｂｒｏａｄｃａｓｔｉｎｇ  ｈａｎｄｈｅｌｄ，ＤＶＢ−Ｈ）ネットワークのデジタルテレビネットワーク、衛星ネットワーク、振幅変調−周波数変調（ａｍｐｌｉｔｕｄｅ  ｍｏｄｕｌａｔｉｏｎ−ｆｒｅｑｕｅｎｃｙ  ｍｏｄｕｌａｔｉｏｎ,  ＡＭ−ＦＭ）ラジオ送信機及び/又は別の通信端末に対する)無線インターフェースを経由して通信信号を受信・送信する装置を含むが、これらに限定されない。無線インターフェースを介して通信する通信端末は、「無線通信端末」、「無線端末」及び/又は「移動端末」と呼ばれる。移動端末の例として、衛星又はセルラー電話、セルラー無線電話、データ処理、ファックス及びデータ通信機能を組み合わせることのできるパーソナル通信システム（ｐｅｒｓｏｎａｌ  ｃｏｍｍｕｎｉｃａｔｉｏｎ  ｓｙｓｔｅｍ,  ＰＣＳ）端末と、無線電話、無線呼び出し、インターネット/イントラネットへのアクセス、ウェブブラウザ、ノートブック、カレンダー及び/又は全地球測位システム（ｇｌｏｂａｌ  ｐｏｓｉｔｉｏｎｉｎｇ  ｓｙｓｔｅｍ,  ＧＰＳ）受信機を含む携帯情報端末(Ｐｅｒｓｏｎａｌ  Ｄｉｇｉｔａｌ  Ａｓｓｉｓｔａｎｔ,  ＰＤＡ)と、通常のラップトップ型及び/又はパームトップ型受信機又は無線電話トランシーバーを含む他の電子装置とを含むが、これらに限定されない。
【００３７】
いくつかの実施例において、第２アダプター１０は、充電インターフェース（図１９Ａの充電インターフェース１９１を参照）を含むことができる。本発明の実施例は、充電インターフェースのタイプについては特に限定しない。例えば、ユニバーサル・シリアル・バス（Ｕｎｉｖｅｒｓａｌ  Ｓｅｒｉａｌ  Ｂｕｓ，ＵＳＢ）インターフェースであってもよく、前ＵＳＢインターフェースは、標準ＵＳＢインターフェースであってもよく、ｍｉｃｒｏ  ＵＳＢインターフェースであってもよく、また、Ｔｙｐｅ−Ｃインターフェースであってもよい。
【００３８】
本発明の実施例は、サンプリング保持ユニット１２の実現方法については特に限定しない。一般的には、サンプリング保持ユニット１２は、コンデンサにより信号のサンプリング及び保持を実現することができる。以下、図３を参照し、サンプリング保持ユニット１２の具体的な形式について詳しく説明する。
【００３９】
いくつかの実施例において、例えば図３に示すように、サンプリング保持ユニット１２は、電流サンプリングユニット１４と、電流保持ユニット１５とを含むことが好ましい。電流サンプリングユニット１４が電力変換ユニット１１に接続され、第１パルス波形の電流を検出して、サンプリング電流を取得し、サンプリング電流をサンプリング電圧に変換する。サンプリング電圧は、第１パルス波形の電流の大きさを示す。電流保持ユニット１５が電流サンプリングユニット１４及び電流取得制御ユニット１３に接続される。電流保持ユニット１５は、電流サンプリングユニット１４からサンプリング電圧を受信し、サンプリング電圧に基づいて電流保持ユニット１５のコンデンサ（図３に示されていない）を充電する。電流取得制御ユニット１３は、電流取得制御ユニット１３におけるコンデンサの両端の電圧を取得して、第１パルス波形の電流のピーク値を取得する。
【００４０】
第１パルス波形が立ち上がりエッジにあるとき、電流保持ユニット１５におけるコンデンサの静電容量は、第１パルス波形の電流の電流値が上昇するにつれて上昇し、サンプリング保持ユニット１２は、サンプリングされた状態になる。第１パルス波形がピーク値又は立ち下がりエッジにあるとき、電流保持ユニット１５のコンデンサの両端の電圧はそのまま変化せず、サンプリング保持ユニット１２は、保持状態にある。
【００４１】
本発明の実施例は、電流取得制御ユニット１３を介して、サンプリング保持ユニット１２によって保持される第１パルス波形の電流のピーク値を取得する。いくつかの実施例において、電流取得制御ユニット１３は、アナログデジタル変換器（Ａｎａｌｏｇ−ｔｏ−Ｄｉｇｉｔａｌ  Ｃｏｎｖｅｒｔｅｒ，ＡＤＣ）を含むことができ、電流取得制御ユニット１３は、ＡＤＣにより第１パルス波形の電流のピーク値を取得することができる。いくつかの実施例において、電流制御ユニット１３は、制御ユニットをさらに含んでもよく、該制御ユニットは、例えばマイクロコントロールユニット（Ｍｉｃｒｏｃｏｎｔｒｏｌｌｅｒ  Ｕｎｉｔ，ＭＣＵ）であってもよい。該制御ユニットは、ＡＤＣポートを含み、該制御ユニットは、該ＡＤＣポートを介してサンプリング保持ユニット１２におけるコンデンサに接続され、コンデンサの両端の電圧を取得することにより、第１パルス波形の電流のピーク値を取得する。
【００４２】
サンプリング保持ユニット１２がサンプリング状態にあるとき、コンデンサの両端の電圧は、充電過程に対応して第１パルス波形の電流の電流値が増加するにつれて増加する。サンプリング保持ユニット１２が保持状態にあるとき、コンデンサの両端の電圧は、最大値に達する。コンデンサの両端の電圧と第１パルス波形の電流値の対応関係をあらかじめ設定してもよい。このようにして、電流取得制御ユニット１３は、コンデンサの両端の電圧値を取得することにより、第１パルス波形の電流のピーク値を取得することができる。
【００４３】
好ましくは、いくつかの実施例において、電流取得制御ユニット１３は、第１パルス波形の電流のピーク値を取得した後、サンプリング保持ユニット１２を制御して保持状態からサンプリング状態に遷移変換させるようにしてもよい。
【００４４】
特に、第１パルス波形の電流のピーク値は、リアルタイムに変化させることができるので、第１パルス波形の電流のピーク値を常に検出して電流情報のリアルタイム性及び正確性を確保し、充電の全過程が順調に進むことを確保する必要がある。これに基づいて、本発明の実施例が提供する電流取得制御ユニット１３は、第１パルス波形の電流のピーク値を取得した後、サンプリング保持ユニット１２をサンプリング状態に入るよう制御し、第１パルス波形の電流に対するサンプリングを再度行い、第１パルス波形の電流ピーク値の取得のリアルタイム性及び正確性を確保する。
【００４５】
さらに、いくつかの実施例において、電流取得制御ユニット１３は、第１パルス波形の各周期内にピーク値の取得を完了し、ピーク値を取得した後、直ちにサンプリング保持ユニット１２を制御して保持状態からサンプリング状態に切り替える。このようにして、電流取得制御ユニット１３によって取得される第１パルス波形の電流のピーク値は、第１パルス波形の周期を単位として、リアルタイムに更新し、第１パルス波形の電流ピーク値の取得のリアルタイム性及び正確性を確保する。
【００４６】
以上から分かるように、第２アダプター１０の出力電流、すなわち、充電電流は、第１パルス波形の電流である。該充電電流は、電池を間欠的に充電することができ、該充電電流の周期は、電力網の周波数に従って変化することができる。いくつかの実施例において、該充電電流の周期が対応する周波数は、電力網の周波数の整数倍又は逆数倍であってもよい。言い換えると、該充電電流は、間欠的に電池を充電することができる。いくつかの実施例において、該充電電流は、電力網と同期する一つ又は一組のパルスから構成されていてもよい。
【００４７】
なお、電流取得制御ユニット１３がサンプリング保持ユニット１２を制御して保持状態から取得状態に切り替える方法はいくつかあってもよく、例えば、電流サンプリングユニット１３は、サンプリング保持ユニット１２におけるコンデンサを制御して放電させ、コンデンサの両端の電荷をクリアし、次のサンプリング周期が到来すると、サンプリング保持ユニット１２のコンデンサを再度一度充電することができる。
【００４８】
いくつかの実施例において、例えば図４に示すように、サンプリング保持ユニット１２は、サンプリング保持ユニット１２におけるコンデンサ（図４には図示せず）により、第１パルス波形の電流のピーク値を保持することができる。電流取得制御ユニット１３は、放電ユニット１６と、制御ユニット１７とを含んでいてもよい。放電ユニット１６は、制御ユニット１７及びサンプリング保持ユニット１２におけるコンデンサにそれぞれ接続される。放電ユニット１６は、制御ユニット１７の制御下で、サンプリング保持ユニット１２におけるコンデンサの両端の電荷を放出してサンプリング保持ユニット１２を保持状態からサンプリング状態に切り替えるためのものである。サンプリング保持ユニット１２によって保持された第１パルス波形の電流のピーク値の取得は、制御ユニット１７により行うことができる。
【００４９】
放電ユニット１６は、さまざまな方法で実施することができる。例えば、放電ユニット１６は、サンプリング保持ユニット１２のコンデンサに直列接続されるスイッチと抵抗器を含むことができる。放電が必要となる場合、制御ユニット１７がスイッチを制御してオフにし、コンデンサを該抵抗に対して放電させ、それにより、コンデンサの両端の電荷を消費する。
【００５０】
本発明の実施例は、サンプリング保持ユニット１２が保持状態にあるか否かを電流取得制御ユニット１３が判断する方法に特に限定されず、具体的な実施例を参照して詳細に説明する。
【００５１】
いくつかの実施例において、電流取得制御ユニット１３は、サンプリング保持ユニット１２によってサンプリングされた電流値をリアルタイムに検出し、二回連続で検出された電流値が一定に保たれている場合には、サンプリング保持ユニット１２が保持状態にあることを示す。
【００５２】
いくつかの実施例において、電流取得制御ユニット１３は、同期信号を受信し、同期信号に基づいてサンプリング保持ユニット１２が保持状態にあるか否かを判断することとしてもよい。同期信号の周期は、第１パルス波形の周期の１/Ｎであり、Ｎは、１以上の整数である。
【００５３】
第１パルス形式の電流が周期的に変化するため、サンプリング保持ユニット１２がサンプリング状態から保持状態になる間の時間間隔は、前記第１パルス波形の電流の周期に関連する（該時間間隔は、第１パルス波形の電流の周期の１/２であってもよい）。これにより、本発明の実施例では、第１パルス波形の周期と特定の関係を有する同期信号（すなわち、同期信号の周期は、第１パルス波形の周期の１/Ｎである）を導入し、該同期信号に基づいてサンプリング保持ユニット１２の作動状態を判断する。例えば、同期信号と第１パルス波形の周期及び/又は位相との関係を利用して、第１パルス波形がピーク値又は立ち下がりエッジにあるか否かを判断する。第１パルス波形がピーク値又は立ち下がりエッジにある場合、サンプリング保持ユニット１２が保持状態にあると判断する。本文において、第１パルス波形がピーク値又は立ち下がりエッジにあるか否かを判断するとは、第１パルス波形が第１パルス波形のピーク値又は立ち下がりエッジにあるか否かを判断することをいう。あるいは、上記第１パルス波形がピーク値又は立ち下がりエッジにあるか否かを判断するとは、第２アダプターの現在の出力電流が第１パルス波形のピーク値又は立ち下がりエッジにあるか否か、又は第２アダプターの現在の出力電流が第１パルス波形のピーク値又は立ち下がりエッジの対応する電流であるか否かを判断することうぃいう。
【００５４】
あるいは、一つの実施手段として、第１パルス波形の周期と同期信号の周期が同じである。さらに、いくつかの実施例において、第１パルス波形の周期は、同期信号の周期と同相であってもよい。言い換えると、同期信号が立ち上がりエッジにある場合、第１パルス波形は立ち上がりエッジにあり、同期信号がピーク値又は立ち下がりエッジにある場合、第１パルス波形はピーク値又は立ち下がりエッジにある。第１パルス波形がピーク値又は立ち下がりエッジにある場合、サンプリング保持ユニット１２が保持状態にあるため、同期信号がピーク値又は立ち下がりエッジにあると判断される限り、サンプリング保持ユニット１２がいつ保持状態にあるかを判断することができる。別のいくつかの実施例において、第１パルス波形の位相と同期信号の位相との差分が固定値であってもよく、例えば差が９０度または１８０度の差分だけ異なっていてもよい。この場合、両者間の周期と位相の関係に基づいて、第１パルス波形がピーク値となるか立ち下がりエッジであるかを判断することができ、サンプリング保持ユニット１２がいつ保持状態にあるかを判断することができる。
【００５５】
同期信号の周期が第１パルス波形の周期の１/２、１/３、１/４などである場合、同期信号と第１パルス波形との位相及び周期の関係に基づいてサンプリング保持ユニット１２の作動状態を判断する。例えば図５に示すように、同期信号の波形を実線で示し、第１パルス波形の波形を破線で示している。同期信号の周期は、第１パルス波形の周期の１/２であり、同期信号がマイナスの半周期にある場合、第１パルス波形は、ピーク値又は立ち下がりエッジにあり、サンプリング保持ユニット１２は、保持状態にある。そのため、単に同期信号の波形がいつマイナスの半周期にあるかを判断すれば、第１パルス波形がいつピーク値又は立ち下がりエッジにあるかを判断することができる。他の場合は同様であり、ここでは、枚挙しない。
【００５６】
同期信号は、パルス波形の同期信号であってもよいし、三角波形の同期信号であってもよく、他のタイプの同期信号であってもよい。本発明の実施例は、これに特に限定されない。
【００５７】
本発明の実施例は、同期信号の取得方法は特に限定されず、特定の実施例を参照して、同期信号の選択可能な取得方法を以下に示す。
【００５８】
いくつかの実施例において、電流取得制御ユニット１３が電力変換ユニット１１に接続され、電力変換ユニット１１から同期信号を取得することとしてもよい。
【００５９】
なお、電力変換ユニット１１から取得した同期信号は、電力変換ユニット１１が受信する交流信号、一次整流後に電力変換ユニット１１が取得した電流/電圧信号、電力変換ユニット１１の一次側から二次側にカップリングする電流/電圧信号、二次整流後の電流/電圧信号などが含まれるが、本発明の実施例は、これに特に限定されるものではない。
【００６０】
いくつかの実施例において、例えば図６に示すように、電力変換ユニット１１は、一次ユニット１８と、二次ユニット１９とを含んでもよい。電流取得制御ユニット１３が二次ユニット１９に接続され、二次ユニット１９から同期信号を取得する。
【００６１】
なお、二次ユニット１９から同期信号を取得するさまざまな方法があることは理解されよう。例えば、二次ユニット１９のバス（ＶＢＵＳ）から直接に同期信号を取得することができる。特に、第２アダプター１０が第１パルス波形の電流を出力し、第２アダプター１０の出力端が二次ユニット１９のバスに接続されているので、二次ユニット１９のバスも第１パルス波形の電流を有し、二次ユニット１９のバスから直接同期信号を取得することができる。また、例えば図７に示すように、二次ユニット１９は、第１整流ユニット２０を含むことができる。第１整流ユニット２０は、電流取得制御ユニット１３に接続される。第１整流ユニット２０は、一次ユニット１８から二次ユニット１９にカップリングする電流を整流し、第２パルス状の電圧を取得し、第２パルス波形の電圧を同期信号として電流取得制御ユニット１３に送信する。
【００６２】
二次ユニット１９自体は、二次整流ユニットを含む。該二次整流ユニットと上記第１整流ユニット２０とは、二つの独立した整流ユニットであってもよい。二次整流ユニットは、一次側から二次側にカップリングする電流を整流し、第２アダプターの出力電流を取得する。第１整流ユニットは、一次側から二次側にカップリングする電流を整流し、同期信号を得る。図２１を参照すると、図２１における符号３９で示されるユニットは、二次整流ユニットである。該二次整流ユニット３９及び第１整流ユニット２０は、いずれも変圧器Ｔ１の二次巻線に近い一側に位置し、第２アダプターを一次側から二次側にカップリングする電流を整流することができる。
【００６３】
いくつかの実施例において、例えば図８に示すように、電力変換ユニット１１は、一次ユニット１８と、二次ユニット１９とを含んでいてもよい。電流取得制御ユニット１３が一次ユニット１８に接続され、一次ユニット１８から同期信号を取得する。
【００６４】
なお、一次ユニット１８から同期信号を取得するさまざまな方法があることは理解されよう。例えば、一次ユニット１８から直接交流信号を取得し、該交流信号を同期信号として電流取得制御ユニット１３に送信することができる。また、例えば、一次ユニット１８内の整流回路によって整流されたパルス直流信号を同期信号として、電流取得制御ユニット１３に送信するようにしてもよい。
【００６５】
具体的には、例えば図９に示すように、一次ユニット１８が交流ＡＣを整流して第３パルス波形の電圧を取得する。第３パルス波形と第１パルスとの周期は同じである。一次ユニット１８は、光学カップリングユニット２１を介して、第３パルス波形の電圧を第２アダプター１０の一次側から二次側にカップリングして、第４パルス波形の電圧を取得し、第４パルス波形の電圧を同期信号として、電流取得制御ユニット１３に送信することができる。光学カップリングユニット２１は、一次側と二次側との間の相互干渉を隔離するよう機能することができる。これに代えて、一次ユニット１８は、光学カップリングユニット２１を介さずに、第３パルス波形の電圧を電流取得制御ユニット１３に直接送信するようにしてもよい。本発明の実施例は、これについて特に限定しない。
【００６６】
上記具体的な実施例を参照して、電力変換ユニット１１から同期信号を取得する方法を詳しく説明したが、同期信号の取得方法は、これに限らず、同期信号の他の取得方法については後述する。
【００６７】
いくつかの実施例において、電流取得制御ユニット１３は、サンプリング保持ユニット１２から同期信号を取得することができる。
【００６８】
具体的には、サンプリング保持ユニット１２は、第２アダプターの出力電流、すなわち、第１パルス波形の電流をサンプリングしてサンプリング電流を取得する。サンプリング保持ユニット１２が取得するサンプリング電流、又はサンプリング電流に対応するサンプリング電圧などの信号は、いずれも、第１パルス波形の電流と、周期及び位相が同じである。該サンプリング電流又はサンプリング電圧を同期信号にすると、サンプリング保持ユニット１２の作動状態についての判断ロジックを簡素化することができる。
【００６９】
一般に、サンプリング保持ユニット１２は、第１パルス波形の電流をサンプリングしてサンプリング電流を取得し、サンプリング電流をサンプリング電圧に変換する。該サンプリング電圧は、第１パルス波形の電流の大きさを示すために用いることができる。サンプリング保持ユニット１２は、該サンプリング電圧を同期信号として、電流取得制御ユニット１３に送信してもよい。例えば、図２１を参照すると、図２１の検流計の出力ポート（ＯＵＴＰＵＴ）から出力される電圧信号を同期信号として用いることができる。
【００７０】
上記においては、主として同期信号の取得方法が説明されているが、以下では、具体的な実施例を参照して、同期信号に基づいて第１パルス波形がピーク値又は立ち下がりエッジにあるか否かを判断する方法を詳しく説明する。
【００７１】
いくつかの実施例において、電流取得制御ユニット１３は、同期信号に基づいて、第１パルス波形がピーク値又は立ち下がりエッジにあるか否かを判断し、第１パルス波形がピーク値又は立ち下がりエッジにあると判断する場合に、サンプリング保持ユニット１２によって保持される第１パルス波形の電流のピーク値を取得することとしてもよい。
【００７２】
具体的には、サンプリング保持ユニット１２は、コンデンサの充放電に基づいて、サンプリング状態と保持状態との間に切り替えを行う。第１パルス波形が立ち上がりエッジにある場合、サンプリング保持ユニット１２におけるコンデンサが充電状態にあり、該コンデンサの両端の電圧は、第１パルス波形の電流が増大すると増大し、サンプリング保持ユニット１２がサンプリング状態となる。第１パルス波形がピーク値又は立ち下がりエッジにある場合、該コンデンサの両端の電圧は、増大し続けず、サンプリング保持ユニット１２が保持状態となる。そのため、第１パルス波形がいつピーク値又は立ち下がりエッジにあるかを判断することにより、サンプリング保持ユニット１２がいつ保持状態にあるかを判断することができる。同期信号の周期及び位相は、第１パルス波形の周期及び位相と固定関係にあるので、同期信号の周期及び/又は位相に基づいて、第１パルス波形がピーク値又は立ち下がりエッジにあるか否かを判断することができる。例えば、同期信号と第１パルス波形と位相が同じである場合、同期信号がピーク値又は立ち下がりエッジにあるときに、第１パルス波形がピーク値又は立ち下がりエッジにある。また、例えば、同期信号と第１パルス波形との周期が同じで位相差が半周期である場合、同期信号が立ち上がりエッジにあるときに、第１パルス波形も、ピーク値又は立ち下がりエッジにある。
【００７３】
同期信号の位相を検出するには、いくつかの方法がある。例えば、電流計又は電圧計により同期信号の電流又は電圧をリアルタイムに検出することで同期信号の位相を判断し、第１パルス波形がピーク値又は立ち下がりエッジにあるか否かを判断する。しかし、このような実現方法は、追加の電流電圧検出回路が必要であり、実現が複雑である。２種類のコンパレータに基づく実現方法を以下に示す。同期信号の電圧と基準電圧とを比較することにより、方便地第１パルス波形がピーク値又は立ち下がりエッジにあるか否かを容易に判断することができる。
【００７４】
いくつかの実施例において、例えば図１０に示すように、電流取得制御ユニット１３は、コンパレータ２２及び制御ユニット２３を含むことができる。コンパレータ２２の第１入力端は、同期信号を受信するために用いられ、コンパレータ２２の第２入力端は、基準電圧を受信するために用いられる。制御ユニット２３はコンパレータ２２の出力端に接続され、同期信号の電圧と基準電圧との比較結果に基づいて、第１パルス波形がピーク値又は立ち下がりエッジにあるか否かを判断する。いくつかの実施例において、第１入力端は、コンパレータの同相入力端であり、第２入力端は、コンパレータの逆相入力端である。別のいくつかの実施例において、第１入力端は、コンパレータの逆相入力端であり、第２入力端は、コンパレータの同相入力端である。
【００７５】
なお、本発明の実施例は、基準電圧の電圧値の選択方法は特に限定されず、例えば、同期信号をゼロ交差点のパルス波形信号として、基準電圧の電圧値を０より大きくかつ、同期信号のピーク値より小さい電圧値として選択することができる。例えば、同期信号を交流信号とすると、基準電圧の電圧値を０として選択することができる。
【００７６】
また、本発明の実施例は、上記同期信号の電圧と基準電圧との比較結果に基づいて、第１パルス波形がピーク値又は立ち下がりエッジにあるか否かを判断する方法は特に限定されず、同期信号の周期及び位相、並びに、第１パルス波形の周期及び位相と関連している。以下、図１１及び図１２に示されるように、例えば、同期信号と第１パルス波形との周期が同じであり、第１パルス波形のピーク値又は立ち下がりエッジの判断方法について例を挙げて説明する。図１１及び図１２の実施例において、電流取得制御ユニット１３は、第１パルス波形の各周期毎に、サンプリング保持ユニットによって保持される第１パルス波形の電流のピーク値を取得する。取得完了した後、電流取得制御ユニット１３は、放電ユニットにおけるＭＯＳ管に制御電圧を直ちに提供し、放電ユニットにおけるＭＯＳ管をオンに制御し、サンプリング保持ユニット１２におけるコンデンサの両端の電荷を放出する。ただし、図１１及び図１２は、例示的な説明に過ぎず、本発明の実施例は、これに限定されない。例えば、電流取得制御ユニット１３は、複数の周期おきに一次第１パルス波形の電流のピーク値を取得することとしてもよい。また、放電ユニットは、ＭＯＳ管以外の他の実現方法を採用してもよく、例えば他のタイプのスイッチ素子を使用して放電ユニットのオンとオフを実現してもよい。
【００７７】
図１１の実施例において、同期信号と第１パルス波形（第１パルス波形は、クリッピング処理を経た後のパルス波形）との位相が同じである。図１１から分かるように、同期信号と第１パルス波形との位相が同じであるため、同期信号がピーク値又は立ち下がりエッジにあるときに、第１パルス波形もピーク値又は立ち下がりエッジにある。そのため、同期信号がいつ同期信号の波形のピーク値又は立ち下がりエッジにあるかを判断すれば、第１パルス波形がいつピーク値又は立ち下がりエッジにあるかを知ることができる。
【００７８】
さらに、同期信号がいつピーク値又は立ち下がりエッジにあるかを判断するために、図１１の実施例がコンパレータを導入する。該コンパレータは、同期信号及び基準電圧の電圧値を比較することにより、コンパレータの出力レベルの変化曲線、すなわち、例えば図１１に示すような矩形波を取得する。該矩形波から分かるように、コンパレータの出力レベルが高レベルから低レベルに変換する時刻（以下は、目標時刻と称する）に、第１パルス波形が立ち下がりエッジにある。この場合、サンプリング保持ユニット１２のコンデンサは保持状態にある。そこで、本発明の実施例は、目標時刻をピーク値のサンプリングポイントとし、電流取得制御ユニット１３を制御してサンプリング保持ユニット１２のコンデンサの両端の電圧を取得して第１パルス波形の電流のピーク値を取得し、第１パルス波形の電流のピーク値を取得した後、直ちに放電ユニットにおけるＭＯＳ管をオンに制御してサンプリング保持ユニット１２のコンデンサの両端の電荷を放出し、次の周期の取得のために準備をする。
【００７９】
図１２の実施例では、同期信号と第１パルス波形との位相差が１８０°であり、第１パルス波形が、クリッピング処理を経た後のパルス波形である。図１２から分かるように、同期信号と第１パルス波形との位相差が１８０°であるため、同期信号がピーク値又は立ち上がりエッジにあるときに、第１パルス波形がピーク値又は立ち下がりエッジにある。そのため、同期信号がいつピーク値又は立ち上がりエッジにあるかを判断すれば、第１パルス波形がいつピーク値又は立ち下がりエッジにあるかを知ることができる。
【００８０】
さらに、同期信号がいつピーク値又は立ち上がりエッジにあるかを判断するために、図１２の実施例は、コンパレータを導入する。該コンパレータは、同期信号及び基準電圧の電圧値を比較することにより、コンパレータの出力レベルの変化曲線、すなわち、図１２に示すような矩形波を取得する。該矩形波から分かるように、コンパレータの出力レベルが低レベルから高レベルに変換する時刻（以下、目標時刻と称する）に、第１パルス波形が立ち下がりエッジにある。このとき、サンプリング保持ユニット１２のコンデンサが保持状態にある。そのため、本発明の実施例は、目標時刻をピーク値のサンプリングポイントとし、サンプリング保持ユニット１２におけるコンデンサの両端の電圧を取得するように電流取得制御ユニット１３を制御し、第１パルス波形の電流のピーク値を取得し、第１パルス波形の電流のピーク値を取得した後、直ちに放電ユニットにおけるＭＯＳ管をオンに制御してサンプリング保持ユニット１２のコンデンサの両端の電荷を放出して、次の周期の取得のために準備をする。
【００８１】
別のいくつかの実施例において、例えば図１３に示すように、電流取得制御ユニット１３は、比較ユニット２４と、制御ユニット２５と、を含んでいてもよい。比較ユニット２４は、コンデンサ２６及びコンパレータ２７を含んでいてもよい。コンデンサ２６は、同期信号を受信するために用いられ、同期信号における直流信号をフィルタリングして、ゼロ交差点の交流信号を取得する。コンパレータ２７の第１入力端がコンデンサ２６に接続され、交流信号を受信するために用いられる。コンパレータ２７の第２入力端は、基準電圧を受信するために用いられる。コンパレータ２７は、交流信号の電圧と基準電圧とを比較するために用いられる。制御ユニット２５がコンパレータ２７の出力端に接続され、交流信号の電圧と基準電圧の比較結果に基づいて、第１パルス波形がピーク値又は立ち下がりエッジにあるか否かを判断する。さらに、本発明の実施例において、基準電圧の電圧値は、０と設置することができる。いくつかの実施例において、第１入力端は、コンパレータの同相入力端であり、第２入力端は、コンパレータの逆相入力端である。別のいくつかの実施例において、第１入力端は、コンパレータの逆相入力端であり、第２入力端は、コンパレータの同相入力端である。
【００８２】
例えば、同期信号は、パルス波形信号であり、パルス波形の信号は、直流信号（又は直流成分）とゼロ交差点の交流信号（又は交流成分）とを混合した信号とみなすことができる。コンデンサ２６により、ゼロ交差点の交流信号を残してパルス波形信号の直流信号をフィルタリングすることができる。このような実現方法では、コンパレータ２７の基準電圧を０と設定すれば（例えば、コンパレータの第２入力端を接地して）、同期信号の位相を容易に判断することができる。
【００８３】
本発明の実施例では、交流信号及び基準電圧に基づいて、同期信号、第１パルス波形がピーク値又は立ち下がりエッジにあるか否かを判断する方法はいくつかあり、交流信号の周期及び位相、並びに、第１パルス波形の周期及び位相と関連しており、判断方法は、図１１及び図１２で説明する判断方法と同様であり、ここでは、詳しく説明しない。
【００８４】
以上、第１パルス波形の電流ピーク値の取得方法について詳細に説明したが、以下では、具体的な実施例を参照して、取得される第１パルス波形の電流ピーク値に基づく充電過程の制御方法について詳細に説明する。
【００８５】
いくつかの実施例において、例えば図１４に示すように、第２アダプター１０は、電圧調整ユニット２８をさらに含むことができる。電圧調整ユニット２８は、電力変換ユニット１１に接続され、第２アダプター１０の出力電圧を検出して調整するために用いられる。電流取得制御ユニット１３は、電圧調整ユニット２８に接続され、電圧調整ユニット２８を介して、第１パルス波形の電流のピーク値を調整する。
【００８６】
なお、電圧調整ユニット２８の最も基本的な機能は、第２アダプターの出力電圧の調整を実現することである。具体的には、電圧調整ユニット２８は、電力変換ユニット１１を介して第２アダプター１０の出力電圧を検出し、電力変換ユニット１１を介して第２アダプター１０の出力電圧に対して調整を行う。言い換えると、電圧調整ユニット２８と電力変換ユニット１１とが第２アダプターの出力電圧のフィードバック制御システムを形成し、これは、フィードバック制御システムを電圧フィードバックループと称してもよい。なお、第２アダプターの出力電力が一定である場合、電圧の調整によって電流の変化を引き起こすことがある。そのため、本発明の実施例の電流取得制御ユニット１３では、第１パルス波形の電流のピーク値を取得した後、上記電圧フィードバックループを利用して電流の調整することができる。例えば、電流取得制御ユニット１３が第１パルス波形の電流の現在のピーク値を取得した後、該現在のピーク値を目標ピーク値に調整したい場合には、ソフトウェアにより、第１パルス波形の電流のピーク値を目標ピーク値に調整する際に、対応する第２アダプター１０の出力電圧の目標値を計算し、その後、上記電圧フィードバックループを利用して第２アダプター１０の出力電圧を該目標値に調整すればよい。
【００８７】
本発明の実施例の電流取得制御ユニット１３と電圧フィードバックループは、第２アダプターの出力電流のピーク値のフィードバック制御システムを形成する。該フィードバック制御システムは、電流フィードバックループと称してもよい。つまり、本発明の実施例は、電圧フィードバックループ（ハードウェアにより実現する）を含むだけでなく、電流フィードバックループ（電圧フィードバックループに基づき、ソフトウェアにより計算して実現する）をも含むことで、第２アダプターは、第２アダプターの出力電圧の制御を実現することができるほか、第２アダプターの出力電流の制御を実現することもでき、第２アダプターの機能を豊富にし、第２アダプターの智能程度を向上することができる。
【００８８】
電流取得制御ユニット１３が電圧調整ユニット２８を介して第１パルス波形の電流のピーク値を調整する方法はいくつかあってもよく、以下、図１５及び図１７を参照して例を挙げて説明する。
【００８９】
好ましくは、いくつかの実施例において、例えば図１５に示すように、電圧調整ユニット２８は、電圧サンプリングユニット２９と、電圧比較ユニット３０と、電圧制御ユニット３１とを含んでもよい。電圧サンプリングユニット２９が電力変換ユニット１１に接続され、電圧比較ユニット３０の入力端が電圧サンプリングユニット２９に接続され、第１電圧と第１基準電圧を比較するために用いられる。電圧制御ユニット３１の入力端は、電圧比較ユニット３０の出力端に接続される。電圧制御ユニット３１の出力端は、電力変換ユニット１１に接続される。電圧制御ユニット３１は、第１電圧と第１基準電圧との比較結果に応じて、第２アダプター１０の出力電圧を制御する。電流取得制御ユニット１３は電圧比較ユニット３０に接続され、第１基準電圧の電圧値を調整することにより、第１パルス波形の電流のピーク値を調整する。
【００９０】
具体的には、第２アダプターの出力電圧を取得するために、電圧サンプリングユニット２９の入力端が第２アダプターのバス（ＶＢＵＳ）に接続されていてもよい。いくつかの実施例において、電圧サンプリングユニット２９は、導線であってもよい。このようにして、電圧サンプリングユニット２９によってサンプリングされる第１電圧は、すなわち、第２アダプターの出力電圧である。別のいくつかの実施例において、電圧サンプリングユニット２９は、分圧のための二つの抵抗を含んでもよい。このようにして、電圧サンプリングユニット２９によってサンプリングされる第１電圧は、二つの抵抗で分圧された後得られる電圧である。電圧比較ユニット３０は、演算増幅器により実現することができる。演算増幅器の一つの入力端は、電圧サンプリングユニット２９によって入力される第１電圧を受信するために用いられ、もう一つの入力端は、第１基準電圧を受信するために用いられる。演算増幅器の出力端は、電圧フィードバック信号を生成し、第１電圧と第１基準電圧が等しいか否かを示す。電圧制御ユニット３１は、光学カップリングとＰＷＭコントローラなどの素子からなり、電圧比較ユニット３０によって提供される電圧フィードバック信号に基づいて、第２アダプターの出力電圧に対して調整を行う。第２アダプターの出力電力が一定である場合に、電流取得制御ユニット１３は、第１パルス波形の電流のピーク値の期待値に基づいて、対応する第２アダプターの出力電圧の期待値を算出する。その後、第１基準電圧の電圧値を調節することにより、第２アダプターの出力電圧を該第２アダプターの出力電圧の期待値に調整し、第１パルス波形の電流のピーク値を第１パルス波形の電流のピーク値の期待値に調整する。
【００９１】
電流取得制御ユニット１３が第１基準電圧の電圧値を調整する方法はいくつかあってもよい。好ましくは、一実施例として、例えば図１６に示すように、電流取得制御ユニット１３は、制御ユニット３２と、デジタルアナログ変換器（Ｄｉｇｉｔａｌ  ｔｏ  Ａｎａｌｏｇ  Ｃｏｎｖｅｒｔｅｒ，ＤＡＣ）３３と、を含んでもよい。ＤＡＣ３３の入力端が制御ユニット３２に接続され、ＤＡＣ３３の出力端が電圧比較ユニット３０に接続される。制御ユニット３２は、ＤＡＣ３３を介して第１基準電圧の電圧値を調整することにより、第１パルス波形の電流のピーク値を調整する。別の一実施例として、制御ユニット３２は、ＲＣユニット、ディジタルポテンショメータなどの回路を介して第１基準電圧の電圧値の調節を実現することができるが、本発明の実施例は、特にこれに限定されない。
【００９２】
いくつかの実施例において、例えば図１７に示すように、電圧調整ユニット２８は、分圧ユニット３４と、電圧比較ユニット３０と、電圧制御ユニット３１とを含むことができる。分圧ユニット３４の入力端は電力変換ユニット１１に接続され、設定される分圧比に基づいて第２アダプター１０の出力電圧を分圧し、第２電圧を生成するために用いられる。電圧比較ユニット３０の入力端は分圧ユニット３４の出力端に接続され、第２電圧と第２基準電圧とを比較するために用いられる。電圧制御ユニット３１の入力端は電圧比較ユニット３０の入力端に接続される。電圧制御ユニット３１の出力端は電力変換ユニット１１に接続される。電圧制御ユニット３１は、第２電圧と第２基準電圧との比較結果に応じて第２アダプター１０の出力電圧を制御する。電流取得制御ユニット１３が電圧比較ユニット３０に接続され、分圧比を調整することで第１パルス波形の電流のピーク値を調整する。
【００９３】
本発明の実施例は図１５の実施例と同様であるが、本発明の実施例が分圧ユニットを導入する点において異なっている。該分圧ユニットの分圧比は調節可能である。本発明の実施例における電流取得制御ユニット１３は、電圧比較ユニット３０の基準電圧を調整することで第１パルス波形の電流のピーク値に対して調整を行うのではなく、分圧ユニット３４の分圧比を調整することで、第１パルス波形の電流のピーク値に対して調整している。本発明の実施例は、分圧ユニットに基づいて第２アダプターの出力電圧をサンプリングするだけでなく、第１パルス波形の電流のピーク値も調節しており、第２アダプターの回路構成を簡素化することができる。
【００９４】
なお、本発明の実施例は、分圧ユニットの分圧比を調節することで第１パルス波形の電流のピーク値の調節を実現するため、本発明の実施例における電圧比較ユニットの基準電圧（すなわち、上記の第２基準電圧）は、固定値であってもよい。
【００９５】
本発明の実施例の分圧ユニット３４の実現方法はいくつかある。例えば、ディジタルポテンショメータを採用してもよく、分散された抵抗、スイッチなどの素子により上記分圧及び分圧比の調節を行ってもよい。
【００９６】
ディジタルポテンショメータの実現方法を例として、例えば図１８に示すように、電流取得制御ユニット１３は、制御ユニット３２を含み、分圧ユニット３４は、ディジタルポテンショメータ３５を含む。ディジタルポテンショメータ３５の高電位端が電力変換ユニット１１に接続されている。ディジタルポテンショメータ３５の低電位端は接地されている。ディジタルポテンショメータ３５の出力端は電圧比較ユニット３０に接続されている。制御ユニット３２は、ディジタルポテンショメータ３５の制御端に接続され、ディジタルポテンショメータ３５の制御端を介してディジタルポテンショメータ３５の分圧比を調整することで第１パルス波形の電流のピーク値を調整している。
【００９７】
いくつかの実施例において、第２アダプター１０は、第１充電モード及び第２充電モードをサポートすることとしてもよい。第２アダプター１０の第２充電モードにおいて、充電される装置（例えば端末）に対する充電速度が第２アダプター１０の第１充電モードにおいて、充電される装置（例えば端末）に対する充電速度（上記第１パルス波形の電流が第２アダプターの前記第２充電モードにおける出力電流であってもよい）よりも速い。言い換えると、同じ容量の充電される装置（例えば端末）の電池を充電するのに費やした時間は、第１充電モードで作動する第２アダプター１０よりも、第２充電モードで作動する第２アダプター１０のほうがより短い。
【００９８】
第２アダプター１０は、制御ユニットを含み、第２アダプター１０が充電される装置（例えば端末）と接続する過程において、制御ユニットが充電される装置（例えば端末）と双方向通信を行い、第２充電モードの充電過程を制御する。該制御ユニットは、上記いずれの実施例における制御ユニットであってもよく、例えば、第１調整ユニットにおける制御ユニットであってもよく、第２調整ユニットにおける制御ユニットであってもよい。
【００９９】
第１充電モードは、普通充電モードとすることが可能であり、第２充電モードは、急速充電モードとすることが可能である。該普通充電モードとは、第２アダプターが比較的小さい電流値（通常は、２．５Ａより小さい）を出力するか、又は比較的小さい電力（通常は、１５Ｗより小さい）で、充電される装置（例えば端末）の電池を充電する。普通充電モードにて比較的大容量の電池（例えば３０００アンペア時間容量の電池）を完全に充電しようとすると、通常は、数時間かかるが、急速充電モードでは、第２アダプターは、比較的大きい電流（通常は、２．５Ａより大きく、例えば４．５Ａ、５Ａ、さらにこれより高い）を出力するか、又は比較的大きい電力（通常より大きいと等しい１５Ｗ）で充電される装置（例えば端末）の電池を充電するので、普通充電モードに比べ、第２アダプターが急速充電モードでは、同じ容量の電池を完全に充電するのに必要とする充電時間を明らかに短縮することができるので、充電速度がより速くなる。
【０１００】
本発明の実施例は、第２アダプターの制御ユニットと充電される装置（例えば端末）との通信内容、及び制御ユニットが第２アダプターの第２充電モードでの出力に対する制御方法については特に限定されず、例えば、制御ユニットは、充電される装置（例えば端末）と通信して、充電される装置（例えば端末）の電池の現在の電圧又は現在の電力量を交互に通信し、電池の現在の電圧又は現在の電力量に基づいて、第２アダプターの出力電圧又は出力電流を調整することができる。以下、具体的な実施例を参照して、制御ユニットと充電される装置（例えば端末）との間の通信内容、及び制御ユニットが第２充電モードにおける第２アダプターの出力に対する制御方法について詳しく説明する。
【０１０１】
いくつかの実施例において、制御ユニットが充電される装置（例えば端末）と双方向通信を行い、第２充電モードにおいて、第２アダプターの出力を制御する過程は、制御ユニットが充電される装置（例えば端末）と双方向通信を行い、第２アダプターと充電される装置（例えば端末）との間の充電モードをネゴシエーションするステップを含むことができる。
【０１０２】
本発明の実施例において、第２アダプターは、第２充電モードを盲目的に採用して充電される装置（例えば端末）に対して急速充電を行うわけではなく、充電される装置（例えば端末）と双方向通信を行い、第２アダプターは、第２充電モードを採用して充電される装置（例えば端末）に対して急速充電を行うことができるかどうかについてネゴシエーションすることで、充電過程の安全性を向上させることができる。
【０１０３】
具体的には、制御ユニットが、充電される装置（例えば端末）との間で双方向通信を行い、第２アダプターと、充電される装置（例えば端末）との間の充電モードをネゴシエーションするステップは、制御ユニットが、充電される装置（例えば端末）に、充電される装置（例えば端末）が第２充電モードをオンにするか否かを問い合わせる第１命令を送信するステップと、制御ユニットが、充電される装置（例えば端末）が第２充電モードをオンにすることに同意するかどうかを示す応答コマンドを受信するステップと、充電される装置（例えば端末）が第２充電モードをオンにすることに同意する場合に、制御ユニットが第２充電モードを使用して充電される装置（例えば端末）を充電するステップと、を含むことができる。
【０１０４】
本発明の実施例の上記説明は、第２アダプター（又は第２アダプターの制御ユニット）と充電される装置（例えば端末）との主従性については限定しない。言い換えると、制御ユニットと充電される装置（例えば端末）は、いずれも主装置側として双方向通信セッションを開始することができ、相手方は、従装置側として主装置側が開始される通信として、第１レスポンス又は第１の応答を行うことができる。可能な方法として、通信プロセスにおいて、第２アダプター側及び充電される装置（例えば端末）側の地面に対するレベルの高さを比較することにより、主、従装置のアイデンティティを確認することができる。
【０１０５】
本発明の実施例は、第２アダプター（又は第２アダプターの制御ユニット）と充電される装置（例えば端末）との間の双方向通信の具体的な実現方法について制限するものではなく、第２アダプター（又は第２アダプターの制御ユニット）と充電される装置（例えば端末）とのうちのいずれも主装置側として通信セッションを開始することができ、相手方が従装置側として、主装置側が開始する通信セッションに対して第１レスポンス又は第１の応答を行い、同時に、主装置側は、前記従装置側の第１レスポンス又は第１の応答に対して第２レスポンスを行うことができ、すなわち、主従装置の間に充電モードのネゴシエーションプロセスが一度完了する。可能な実施方法として、主、従装置側の間に複数の充電モードのネゴシエーションが完了された後、主、従装置側の間の充電操作を実行して、ネゴシエーション後の充電過程が安全かつ確実な実施を保証することができる。
【０１０６】
主装置側が、前記従装置側の通信セッションに対して第１レスポンス又は第１の応答に応じて第２レスポンスをする一つの方法は、主装置側が前記従装置側の通信セッションに対して第１レスポンス又は第１の応答を受信し、受信された前記従装置の第１レスポンス又は第１の応答に応じて対象となる第２レスポンスをすることができる。一例として、主装置側が所定時間内に前記従装置側の通信セッションに対する第１レスポンス又は第１の応答を受信すると、主装置側は、前記従装置の第１レスポンス又は第１の応答に対して対象となるある第２レスポンスをするとは、具体的には、主装置側と従装置側とが充電モードのネゴシエーションを一度完了し、主装置側と従装置側との間がネゴシエーション結果に応じて、第１充電モード又は第２充電モードに基づいて充電操作を実行し、第２アダプターがネゴシエーション結果に応じて、第１充電モード又は第２充電モードで作動して充電される装置（例えば端末）を充電する。
【０１０７】
主装置側として、前記従装置側の通信セッションに対する第１レスポンス又は第１の応答に応じて更なる第２レスポンスを出すことのできる一つの方法は、主装置側が所定時間内に前記従装置側の通信セッションに対する第１レスポンス又は第１の応答を受信せずとも、主装置側が前記従装置の第１レスポンス又は第１の応答に対して目標性のある第２レスポンスを出す。例として、主装置側が所定時間内に前記従装置側の通信セッションに対する第１レスポンス又は第１の応答を受信せずとも、主装置側が前記従装置の第１レスポンス又は第１の応答に対して目標性のある第２レスポンスを出すとは、具体的には、主装置側と従装置側とが充電モードのネゴシエーションを一回完了し、主装置側と従装置側との間に第１充電モードに基づいて充電操作が実行され、すなわち、第２アダプターが第１充電モードで作動して充電される装置（例えば端末）を充電する。
【０１０８】
いくつかの実施例において、充電される装置（例えば端末）が主装置として通信セッションを開始する場合、第２アダプター（又は第２アダプターの制御ユニット）が従装置として主装置側が開始する通信セッションに対し第１レスポンス又は第１の応答をした後、充電される装置（例えば端末）が第２アダプターの第１レスポンス又は第１の応答に対して対象となる第２レスポンスを出さなくとも、第２アダプター（又は第２アダプターの制御ユニット）と充電される装置（例えば端末）との間の充電モードのネゴシエーションプロセスが一度完了し、さらに、第２アダプターがネゴシエーション結果に応じて第１充電モード又は第２充電モードで充電される装置（例えば端末）を充電することを判断することができる。
【０１０９】
いくつかの実施例において、制御ユニットが充電される装置（例えば端末）と双方向通信を行い、第２アダプターの第２充電モードにおいて、出力の過程を制御するステップは、制御ユニットが、充電される装置（例えば端末）と双方向通信を行い、第２充電モードにおいて、充電される装置（例えば端末）を充電するために第２アダプターが出力する充電電圧を判断するステップと、制御ユニットが第２アダプターの出力電圧に対して調整を行い、第２アダプターの出力電圧と、第２充電モードにおいて、充電される装置（例えば端末）を充電するために第２アダプターが出力する充電電圧を等しくするステップと、を含むことが可能である。
【０１１０】
具体的には、制御ユニットが充電される装置（例えば端末）と双方向通信を行い、第２充電モードにおいて、充電される装置（例えば端末）を充電するために第２アダプターが出力する充電電圧を判断するステップは、制御ユニットが充電される装置（例えば端末）に第２アダプターの出力電圧と充電される装置（例えば端末）の電池の現在の電圧とがマッチングするかどうかを問い合わせる第２命令を送信するステップと、制御ユニットが、充電される装置（例えば端末）から送信された第２アダプターの出力電圧を電池の現在の電圧とマッチングし、やや高いかやや低いことを示す第２命令の応答コマンドを受信するステップを含むことができる。代案として、第２命令は、第２アダプターの現在の出力電圧を第２充電モードにおいて、充電される装置（例えば端末）を充電するために第２アダプターが出力する充電電圧とするのは適切であるかどうかを問い合わせるために用いられ、第２命令の応答コマンドは、現在第２アダプターの出力電圧が適切か、やや高いかやや低いことを示すために用いられる。第２アダプターの現在の出力電圧が電池の現在の電圧とマッチングし、又は第２アダプターの現在の出力電圧を第２充電モードにおいて、充電される装置（例えば端末）を充電するために第２アダプターが出力する充電電圧とすることが適切であるとは、第２アダプターの現在の出力電圧が電池の現在の電圧よりやや高く、第２アダプターの出力電圧と電池の現在の電圧との間の差値が所定範囲内（通常は、何百ミリボルト級）にあることをいう。
【０１１１】
いくつかの実施例において、制御ユニットが、充電される装置（例えば端末）と双方向通信を行い、第２充電モードにおいて、第２アダプターの出力を制御する充電過程は、制御ユニットが、充電される装置（例えば端末）と双方向通信を行い、第２充電モードにおいて、充電される装置（例えば端末）を充電するために第２アダプターが出力する充電電流を判断するステップと、制御ユニットが、第１パルス波形の電流のピーク値に対して調整を行い、第１パルス波形の電流のピーク値を第２充電モードにおいて、充電される装置を充電するために第２アダプターが出力する充電電流と等しくするステップと、を含むことが可能である。
【０１１２】
具体的には、制御ユニットが、充電される装置（例えば端末）と双方向通信を行い、第２充電モードにおいて、充電される装置（例えば端末）を充電するために第２アダプターが出力する充電電流を判断するステップは、制御ユニットが、充電される装置（例えば端末）に対し、充電される装置（例えば端末）の現在サポートできる最大充電電流を問い合わせる第３命令を送信するステップと、制御ユニットが、充電される装置（例えば端末）から送信される、充電される装置（例えば端末）の現在サポートできる最大充電電流を示す第３命令の応答コマンドを受信するステップと、制御ユニットが、充電される装置（例えば端末）の現在サポートできる最大充電電流に応じて、第２充電モードにおいて、充電される装置（例えば端末）を充電するために第２アダプターが出力する充電電流を判断するステップと、を含むことができる。なお、制御ユニットが、充電される装置（例えば端末）の現在サポートできる最大充電電流に応じて、第２充電モードにおいて、充電される装置（例えば端末）を充電するために第２アダプターが出力する充電電流を判断する方法はいくつかあるが、例えば、第２アダプターは、充電される装置（例えば端末）の現在サポートできる最大充電電流を、第２充電モードにおいて、充電される装置（例えば端末）を充電するために第２アダプターが出力する充電電流と判断してもよく、充電される装置（例えば端末）の現在サポートできる最大充電電流及び自体の電流出力機能などの要素を総合的に考えた後、第２充電モードにおいて、充電される装置（例えば端末）を充電するために第２アダプターが出力する充電電流を決定してもよい。
【０１１３】
いくつかの実施例においては、制御ユニットが、充電される装置（例えば端末）と双方向通信を行い、第２充電モードにおける第２アダプターの出力を制御する過程は、第２アダプターが第２充電モードを使用して充電される装置（例えば端末）を充電する過程において、制御ユニットが、充電される装置（例えば端末）と双方向通信を行い、第１パルス波形の電流のピーク値を調整するステップを含むことができる。
【０１１４】
具体的には、制御ユニットが、充電される装置（例えば端末）と双方向通信を行い、第１パルス波形の電流のピーク値を調整するステップは、制御ユニットが、充電される装置（例えば端末）に、電池の現在の電圧を問い合わせる第４命令を送信するステップと、制御ユニットが、第２アダプターから送信される電池の現在の電圧を示す第４命令の応答コマンドを受信するステップと、制御ユニット電池の現在の電圧に応じて、第１パルス波形の電流のピーク値を調整するステップと、を含むことができる。
【０１１５】
いくつかの実施例においては、例えば図１９Ａに示すように、第２アダプター１０は、充電インターフェース１９１を含む。さらに、いくつかの実施例においては、第２アダプター１０内の制御ユニット（例えば図２１のＭＣＵ）は、充電インターフェース１９１のデータ線１９２を介して充電される装置（例えば端末）と双方向通信を行うことができる。
【０１１６】
いくつかの実施例において、制御ユニットは、充電される装置（例えば端末）と双方向通信を行い、第２充電モードで第２アダプターの出力を制御する過程は、制御ユニットが、充電される装置（例えば端末）と双方向通信を行い、充電インターフェースが接触不良を起こすかどうかを判断するステップを含むことができる。
【０１１７】
具体的には、制御ユニットが、充電される装置（例えば端末）と双方向通信を行い、充電インターフェースが接触不良を起こすかどうかを判断するステップは、制御ユニットが、充電される装置（例えば端末）に、現在の電池の電圧を問い合わせる第４命令を送信するステップと、制御ユニットが、充電される装置（例えば端末）から送信される、現在の電池の電圧を示す第４命令の応答命令を受信するステップと、制御ユニットが、第２アダプターの出力電圧及び充電される装置（例えば端末）の電池の現在の電圧に応じて、充電インターフェースが接触不良を起こすかどうかを判断するステップと、を含むことができる。例えば、制御ユニットが、第２アダプターの出力電圧と、充電される装置（例えば端末）の現在の電圧との電圧差が所定の電圧閾値より大きいと判断されると、電圧差を第２アダプターが出力する現在の電流値で除算して得られる抵抗は、所定の抵抗閾値より大きいであることを示し、充電インターフェースが接触不良を起こすと判断することができる。
【０１１８】
いくつかの実施例において、充電される装置（例えば端末）が制御ユニットに第２アダプターの出力電圧を問い合わせる第六命令を送信し、充電される装置（例えば端末）が、制御ユニットから送信された第２アダプターの出力電圧を示す第六命令の応答コマンドを受信し、充電される装置（例えば端末）が、現在の電池の電圧及び第２アダプターの出力電圧に応じて、充電される装置（例えば端末）が、充電インターフェースが接触不良を起こすかどうかを判断してもよい。充電インターフェースが接触不良を起こすと判断した後、充電される装置（例えば端末）は、制御ユニットに対し、充電インターフェースの接触不良を示す第五命令を送信する。制御ユニットが第五命令を受信した後、第２アダプターを制御して第２充電モードを終了することができる。
【０１１９】
以下、図１９Ｂを参照して、第２アダプター内の制御ユニットと、充電される装置（例えば端末）との間の通信プロセスを詳細に説明する。なお、図１９Ｂの例は、単に当業者が本発明の実施例を理解するためのものであり、本発明の実施例に例示された具体的な数値又は具体的な場面に限定するものではない。図示された図１９Ｂの例に基づいて、さまざまな変更や変形が可能であり、そのような変更や変形は、本発明の実施例の範囲内にあることは、当業者にとって明らかであろう。
【０１２０】
例えば図１９Ｂに示すように、第２充電モードの第２アダプターの充電される装置（例えば端末）への充電過程、すなわち、充電処理は、五段階であってよい。
段階１：
充電される装置（例えば端末）が電源装置に接続された後、充電される装置（例えば端末）は、データ線Ｄ+、Ｄ-を介して電源装置の種類を検出することができ、電源装置が第２アダプターであると検出されると、充電される装置（例えば端末）によって吸収される電流は、所定の電流閾値Ｉ２（例えば１Ａ）より大きくてもよい。第２アダプターの制御ユニットが所定時間（例えば、連続するＴ１時間）内に第２アダプターの出力電流がＩ２以上であることを検出すると、制御ユニットは、充電される装置（例えば端末）の電源装置の種類の識別が完了すると、制御ユニットは、第２アダプターと充電される装置（例えば端末）との間のネゴシエーションプロセスをスタートさせ、充電される装置（例えば端末）に命令１（上記第１命令に対応する）を送信し、第２アダプターが、充電される装置（例えば端末）を第２充電モードで充電することに同意するかどうかを問い合わせる。
制御ユニットが、充電される装置（例えば端末）から送信される命令１の応答コマンドを受信し、該命令１の応答コマンドが第２アダプターが第２充電モードで充電される装置（例えば端末）を充電することに同意しない場合には、制御ユニットは、第２アダプターの出力電流を再度検出する。第２アダプターの出力電流があらかじめ設定された連続時間（例えば、連続するＴ１時間）内にまだＩ２以上ある場合、制御ユニットは、充電される装置（例えば端末）に命令１を再送信し、第２アダプターが第２充電モードで充電される装置（例えば端末）を充電することに同意するかどうかを問い合わせる。制御ユニットは、第２アダプターが第２充電モードで充電される装置（例えば端末）を充電することに同意するか、又は、第２アダプターの出力電流がＩ２以上という条件を満たさなくなるまで、段階１の上記ステップを繰り返す。
第２アダプターが第２充電モードで充電される装置（例えば端末）を充電することに同意した後、通信プロセスが第２段階に入る。
段階２：
第２アダプターの出力電圧は、複数のランクを含んでもよい。制御ユニットが充電される装置（例えば端末）に命令２（上記第２命令に対応する）を送信し、第２アダプターの出力電圧（現在の出力電圧）が、充電される装置（例えば端末）の電池の現在の電圧とマッチングするかどうかを問い合わせる。
充電される装置（例えば端末）が制御ユニットに命令２の応答コマンドを送信し、第２アダプターの出力電圧と充電される装置（例えば端末）の電池の現在の電圧とマッチングし、やや高いかやや低いことを示す。命令２に対する応答コマンドが、第２アダプターの出力電圧がやや高いかやや低いことを示す場合、制御ユニットは、第２アダプターの出力電圧を１ランクに調整し、充電される装置（例えば端末）に命令２を再送信し、第２アダプターの出力電圧が充電される装置（例えば端末）の電池の現在の電圧とマッチングするかどうかを再度問い合わせることができる。第２アダプターの出力電圧が充電される装置（例えば端末）の電池の現在の電圧とマッチングすると判断されるまで、段階２の上記ステップを繰り返して、３段階に入る。
段階３：
制御ユニットが、充電される装置（例えば端末）に命令３（上記第３命令に対応する）を送信し、充電される装置（例えば端末）が現在サポートできる最大の充電電流を問い合わせる。充電される装置（例えば端末）が制御ユニットに命令３の応答コマンドを送信し、充電される装置（例えば端末）が現在サポートできる最大の充電電流を示し、第４段階に入る。
段階４：
制御ユニットは、充電される装置（例えば端末）の現在サポートできる最大の充電電流に応じて、第２充電モードの第２アダプターが出力する充電される装置（例えば端末）を充電するための充電電流を判断し、その後、段階５、すなわち、定電流充電段階に入る。
段階５：
定電流充電段階に入った後、制御ユニットは、一定時間おきに充電される装置（例えば端末）に命令４（上記第４命令に対応する）を送信し、充電される装置（例えば端末）の電池の現在の電圧を問い合わせることができる。充電される装置（例えば端末）は、制御ユニットに命令４の応答コマンドを送信し、充電される装置（例えば端末）の電池の現在の電圧をフィードバックする。制御ユニットは、充電される装置（例えば端末）の電池の現在の電圧に応じて、充電インターフェースの接触が良好であるかどうか、及び第１パルス波形の電流のピーク値を低下させる必要があるかどうかを判断することができる。第２アダプターが、充電インターフェースの接触が不良であると判断すると、充電される装置（例えば端末）に命令５（上記第五命令に対応する）を送信することができ、第２アダプターは、第２充電モードから退出し、その後、リセットして再度、段階１に入る。
【０１２１】
いくつかの実施例では、段階１において、充電される装置（例えば端末）が命令１の応答コマンドを送信する場合、命令１の応答コマンドには、該充電される装置（例えば端末）の経路インピーダンスのデータ（又は情報）を有する。充電される装置（例えば端末）の経路インピーダンスデータは、段階５で、充電インターフェースの接触が良好であるかどうかを判断するために用いられる。
【０１２２】
いくつかの実施例では、段階２において、第２アダプターが第２充電モードで充電される装置（例えば端末）を充電することに同意したときから、制御ユニットが第２アダプターの出力電圧を適切な充電電圧に調整するまでに経過した時間は、一定範囲内に制限される。該時間が所定範囲を超える場合、第２アダプター又は充電される装置（例えば端末）は、急速充電通信プロセスに異常があると判定し、リセットして再度段階１に入ることができる。
【０１２３】
いくつかの実施例では、段階２において、第２アダプターの出力電圧が充電される装置（例えば端末）の電池の現在の電圧よりΔＶ(ΔＶは、２００〜５００ｍＶと設定することができる)だけ高い場合、充電される装置（例えば端末）は、制御ユニットに命令２の応答コマンドを送信し、第２アダプターの出力電圧が充電される装置（例えば端末）の電池電圧とマッチングすることを示すことができる。
【０１２４】
いくつかの実施例では、段階４において、第２アダプターの出力電流の調整速度を一定範囲内に制限することで、調整速度が速すぎるために、第２充電モードの第２アダプターの出力が、充電される装置（例えば端末）を充電する過程に異常が起こるのを避けることができる。
【０１２５】
いくつかの実施例では、段階５において、第２アダプターの出力電流の変化振幅を５％以内に制限することができる。
【０１２６】
いくつかの実施例では、段階５において、制御ユニットは、充電回路の経路インピーダンスをリアルタイムに検出することができる。具体的には、制御ユニットは、第２アダプターの出力電圧、出力電流及び充電される装置（例えば端末）がフィードバックされる電池の現在の電圧に応じて、充電回路の経路インピーダンスを検出することができる。「充電回路の経路インピーダンス」＞「充電される装置（例えば端末）の経路インピーダンス＋充電ケーブルの抵抗」の場合、充電インターフェースが接触不良を起こすと認められ、第２アダプターが第２充電モードで充電される装置（例えば端末）を充電するのを停止する。
【０１２７】
いくつかの実施例では、第２アダプターが、充電される装置（例えば端末）を第２充電モードでの充電するのをスタートさせた後、制御ユニットと充電される装置（例えば端末）との間の通信時間の間隔を一定範囲内に制限することができ、通信間隔が短すぎるために通信プロセスに異常が起こるのを避ける。
【０１２８】
いくつかの実施例では、充電過程の停止（又は第２アダプターが第２充電モードで充電される装置（例えば端末）を充電する過程の停止）は、回復可能な停止と回復不可能な停止の２種類に分かれる。
【０１２９】
例えば、充電される装置（例えば端末）の電池の充電又は充電インターフェースの接触不良を検出すると充電過程が停止され、充電通信プロセスがリセットされ、充電過程が再度段階１に入る。その後、第２アダプターが第２充電モードで充電される装置（例えば端末）を充電することに同意しないと、通信プロセスは段階２に進まない。このような場合の充電過程の停止は、回復不可能な停止と見なすことができる。
【０１３０】
また、例えば、制御ユニットと充電される装置（例えば端末）との間に通信異常が現れると充電過程が停止され、充電通信プロセスがリセットされ、充電過程が再度段階１に入る。段階１の要求を満たした後、第２アダプターが第２充電モードで充電される装置（例えば端末）を充電することに同意すると、充電過程を回復する。このような場合の充電過程の停止は、回復可能な停止と見なすことができる。
【０１３１】
また、例えば、充電される装置（例えば端末）が電池に異常が現れたことを検出した場合、充電過程が停止され、充電通信プロセスがリセットされ、充電過程が再度段階１に入る。その後、第２アダプターが充電される装置（例えば端末）を第２充電モードで充電することには同意しない。電池が正常に回復し、段階１の要求を満たした後、第２アダプターが第２充電モードで充電される装置（例えば端末）を充電することに同意する。このような場合の急速充電過程の停止は、回復可能な停止と見なすことができる。
【０１３２】
以上は、図１９Ｂに示される通信ステップ又は操作に対する例に過ぎない。例えば、段階１において、充電される装置（例えば端末）が第２アダプターに接続された後、充電される装置（例えば端末）と制御ユニットとの間のハンドシェイク通信は、充電される装置（例えば端末）によって開始されてもよく、すなわち、充電される装置（例えば端末）が命令１を送信し、制御ユニットが第２充電モードをオンにするか否かを問い合わせてもよい。充電される装置（例えば端末）は、第２アダプターが第２充電モードで充電することに制御ユニットが同意することを示す制御ユニットの応答コマンドを受信すると、第２アダプターが第２充電モードで充電される装置（例えば端末）の電池を充電し始める。
【０１３３】
また、例えば、段階５の後、定電圧充電段階をさらに含むことができる。具体的には、段階５において、充電される装置（例えば端末）は、制御ユニットに電池の現在の電圧をフィードバックすることができ、電池の現在の電圧が定電圧充電電圧閾値に達する場合、充電段階は、定電流充電段階から定電圧充電段階に移行する。定電圧充電段階では充電電流が徐々に減少し、電流がある閾値にまで低下すると充電の全過程を停止し、充電される装置（例えば端末）の電池が充電されることが示される。
【０１３４】
さらに、例えば図２０に示すように、上記実施例のいずれかにおいて、第２アダプター１０は、第１充電モード及び第２充電モードをサポートでき、第２アダプターの第２充電モードで充電される装置（例えば端末）の充電速度は、第２アダプターの第１充電モードで充電される装置（例えば端末）の充電速度より速い。電力変換ユニット１１は、二次フィルタユニット３７を含むことができ、第２アダプター１０は、制御ユニット３６を含むことができ、制御ユニット３６が二次フィルタユニット３７に接続される。制御ユニット３６が、第１充電モードで二次フィルタユニット３７を制御して作動させ、第２アダプター１０の出力電圧の電圧値を固定値にする。制御ユニット３６が、第２充電モードで二次フィルタユニット３７を制御して作動を停止させ、第２アダプター１０の出力電流を第１パルス波形の電流とする。
【０１３５】
本発明の実施例では、制御ユニットが、二次フィルタユニットが作動するかどうかを制御し、第２アダプターが電流値が固定値である普通直流電を出力することができ、電流値が変化するパルス直流電を出力することもできるので、従来の充電モードに適合する。
【０１３６】
いくつかの実施例では、第２アダプターは、第１パルス波形の電流を直接充電される装置（例えば端末）の電池の両端に負荷して電池を直接充電する。
【０１３７】
具体的には、直接充電は、２アダプターの出力電圧及び出力電流を直接充電される装置（例えば端末）の電池の両端に負荷し（又は直接に伝導する）、充電される装置（例えば端末）の電池を充電するので、充電中に変換回路を経由して第２アダプターの出力電流又は出力電圧を変換する必要がなく、変換過程がもたらすエネルギーの損失を避けることができる。第２充電モードを使用する充電過程で充電回路の充電電圧又は充電電流を調整するために、第２アダプターをインテリジェントアダプターとして設計することができ、第２アダプターが充電電圧又は充電電流の変換を完了し、充電される装置（例えば端末）の負担を軽減して、充電される装置の発熱量を低下させることができる。
【０１３８】
本発明の実施例の第２アダプター１０は、定電流モードで作動することができる。ここで、定電流モードは、第２アダプターの出力電流に対して制御を行う充電モードであり、第２アダプターの出力電流が固定値を一定にする必要は無い。実際には、定電流モードの第２アダプターでは、常に段階化定電流の方法を採用して充電を行う。
【０１３９】
段階化定電流充電（Ｍｕｌｔｉ−ｓｔａｇｅ  ｃｏｎｓｔａｎｔ  ｃｕｒｒｅｎｔ  ｃｈａｒｇｉｎｇ）は、Ｎ個の充電段階（Ｎが２以上の整数である）を有する。段階化された定電流充電は、所定の充電電流で第１段階の充電を始めることができる。前記段階化された定電流充電のＮ充電段階は、第１段階から第（Ｎ-１)段階まで順次に実行され、充電段階のうちの一つ前の充電段階が次の充電段階に移行すると、充電電流値が小さくなり、電池電圧が充電終止電圧閾値に達すると、充電段階のうちの一つ前の充電段階が次の充電段階に移行する。
【０１４０】
さらに、第２アダプターの出力電流がパルス直流電である場合には、定電流モードは、パルス直流電のピーク値又は平均値に対して制御を行う充電モードを示し、すなわち、第２アダプターの出力電流のピーク値が定電流モードに対応する電流を超えないように制御する。
【０１４１】
以下、具体的な例を参照して、本発明の実施例をさらに詳しく説明する。なお、図２１−図２２の例は、単に当業者が本発明の実施例を理解するためだけのものであって、本発明の実施例を例示された具体的な数値又は具体的な態様に限定するものではない。図示された図２１−図２２の例に基づいて、当業者であればさまざまな変更や変形が可能であり、そのような変更や変形が本発明の実施例の範囲内にあることは明らかである。
【０１４２】
第２アダプターは、例えば図２１に示すように、電力変換ユニット（上記の電力変換ユニット１１に対応する）を含み、該電力変換ユニットは、交流ＡＣの入力端と、一次整流ユニット３８と、変圧器Ｔ１と、二次整流ユニット３９と、第１整流ユニット２０とを含むことができる。
【０１４３】
具体的には、交流ＡＣの入力端が商用電源（一般的には、２２０Ｖの交流）が導入され、その後、商用電源を一次整流ユニット３８に伝送する。
【０１４４】
一次整流ユニット３８は、商用電源を第２パルス波形の電流に変換し、その後、第２パルス直流電を変圧器Ｔ１に伝送するために用いられる。一次整流ユニット３８はブリッジ整流ユニットであってもよい。例えば、図２１に示されるようなフルブリッジ整流ユニットであってもよく、又は、ハーフブリッジ整流ユニットであってもよい。本発明の実施例は、特に限定しない。
【０１４５】
変圧器Ｔ１は、第１パルス直流電を変圧器の一次側から二次側にカップリングするために用いられる。変圧器Ｔ１は、一般の変圧器であってもよく、作動周波数が５０ＫＨｚ−２ＭＨｚｄの高周波変圧器であってもよい。変圧器Ｔ１の一次巻線の数及び接続形式が第２アダプターに採用されるスイッチング電源のタイプに関連し、本発明の実施例は、これについて得に限定しない。例えば図２１に示すように、第２アダプターは、フライバックスイッチング電源を採用することができ、変圧器の一次巻線の一端が一次整流ユニット３８に接続され、一次巻線の他端がＰＷＭコントローラによって制御されるスイッチに接続される。無論、第２アダプターは、順方向スイッチング電源又はプッシュプルスイッチング電源を採用する第２アダプターであってもよい。異なるタイプのスイッチング電源における一次整流ユニット及び変圧器は、それぞれの接続形式を有し、簡潔のために、ここでは記載しない。
【０１４６】
二次整流ユニット３９は、一次側から二次側にカップリングする電流を整流し、第１パルス波形の電流を取得するために用いられる。二次整流ユニット３９の形式はいくつかあり、図２１に示されるのは、典型的な二次同期整流回路の一種である。該同期整流回路は、同期整流（Ｓｙｎｃｈｒｏｎｏｕｓ
Ｒｅｃｔｉｆｉｅｒ，ＳＲ）チップと、該ＳＲチップによって制御される金属酸化物半導体（Ｍｅｔａｌ  Ｏｘｉｄｅ  Ｓｅｍｉｃｏｎｄｕｃｔｏｒ，ＭＯＳ）管と、ＭＯＳ管のソース電極及びドレイン電極の両端に接続されるダイオードとを含む。前記ＳＲチップがＭＯＳ管のゲート電極にＰＷＭ制御信号を送信し、該ＭＯＳ管のオン・オフを制御して二次同期整流を実現する。
【０１４７】
第１整流ユニット２０は、一次側から二次側にカップリングする電流を整流し、同期信号を得るために用いられる。例えば図２１に示すように、該第１整流ユニット２０は、順方向整流回路であってもよい。該同期信号は、該順方向整流回路から出力される順方向電圧（ｆｏｒｗａｒｄ  ｖｏｌｔａｇｅ）である。
【０１４８】
さらに、第２アダプターは、サンプリング保持ユニット（上記のサンプリング保持ユニット１２に対応する）を含むことができる。該サンプリング保持ユニットは、電流サンプリングユニット（上記の電流サンプリングユニット１４に対応する）と、電流保持ユニット（上記の電流保持ユニット１５に対応する）とを含む。
【０１４９】
具体的には、例えば図２１に示すように、電流サンプリングユニットは、検流抵抗Ｒ３と、検流計とを含む。検流計は、検流抵抗Ｒ３を介して第１パルス波形の電流に対して検流を行い、サンプリング電流を取得し、該サンプリング電流を対応するサンプリング電圧（該サンプリング電圧は、第１パルス波形の電流の大きさを示すために用いられる）に変換する。
【０１５０】
回路保持ユニットは、分圧抵抗Ｒ４及びＲ５と、コンデンサＣ１とを含む。回路保持ユニットは、まず、分圧抵抗Ｒ４及びＲ５を介して検流計の出力ポート（ＯＵＴＰＵＴ）から出力されるサンプリング電圧を分圧し、その後、分圧した後の電圧を利用してコンデンサＣ１を充電し、コンデンサＣ１の両端の電圧が第１パルス波形の電流が変化するにつれて変化するようにする。第１パルス波形がピーク値又は立ち下がりエッジに達すると、コンデンサＣ１の両端の電圧が最大値（該最大値は、第１パルス波形の電流のピーク値に対応することができる）に達し、サンプリング保持ユニットが保持状態に入る。
【０１５１】
さらに、第２アダプターは、電流取得制御ユニット（上記の電流取得制御ユニット１３に対応する）を含む。電流取得制御ユニッは、ＭＣＵ（上記の制御ユニットに対応する）と、比較ユニット２４と、放電ユニット１６とを含むことができる。
【０１５２】
具体的には、比較ユニット２４は、コンパレータを含んでもよい。コンパレータの第１入力端は、同期信号を受信するために用いられる。コンパレータの第２入力端は、基準電圧を受信するために用いられる。いくつかの実施例において、第１入力端は、同相入力端であり、第２入力端は、逆相入力端である。別のいくつかの実施例において、第１入力端は、逆相入力端であり、第２入力端は、同相入力端である。コンパレータは、比較結果をＭＣＵに送信する。
【０１５３】
ＭＣＵは、コンパレータの比較結果に基づいて、第１パルス波形がいつピーク値又は立ち下がりエッジにあるかを判断する。第１パルス波形がピーク値又は立ち下がりエッジにあると、サンプリング保持回路が保持状態にあることを示す。ＭＣＵがＡＤＣを介してコンデンサＣ１の両端の電圧を取得して、第１パルス波形の電流のピーク値を判断する。
【０１５４】
放電ユニット１６は、スイッチ管Ｑ３と、抵抗Ｒ６とを含むことができる。ＭＣＵが第１パルス波形の電流のピーク値を取得した後、ＭＣＵは、スイッチ管Ｑ３をオンに制御し、コンデンサＣ１は抵抗Ｒ６に放電し、コンデンサＣ１の両端の電荷を放出する。このようにして、コンデンサＣ１の両端の電圧は、再度第１パルス波形の電流が変化するにつれて変化し、サンプリング保持ユニットが保持状態からサンプリング状態に切り替えたことが示される。
【０１５５】
さらに、第２アダプターは、電圧調整ユニット（上記の電圧調整ユニット２８に対応する）を含むことができる。電圧調整ユニットは、電圧サンプリングユニット（上記の電圧サンプリングユニット２９に対応する）と、電圧比較ユニット（上記の電圧比較ユニット３０に対応する）と、電圧制御ユニット（上記の電圧制御ユニット３１に対応する）とを含むことができる。
【０１５６】
具体的には、例えば図２１に示すように、電圧サンプリングユニットは、第２アダプターの出力電圧を分圧し、第１電圧を取得する抵抗Ｒ１及び抵抗Ｒ２を含む。
【０１５７】
電圧比較ユニットは、演算増幅器ＯＰＡを含む。該ＯＰＡの逆相入力端は、第１電圧を受信するために用いられる。該ＯＰＡの同相入力端は、ＤＡＣに接続され、ＤＡＣからの第１基準電圧を受信するために用いられる。該ＤＡＣがＭＣＵに接続される。ＭＣＵは、該ＤＡＣを介して第１基準電圧調整することができ、さらに、第２アダプターの出力電圧及び/又は出力電流を調整する。
【０１５８】
電圧制御ユニットは、光学カップリングユニット４０と、ＰＷＭコントローラとを含む。光電カップリングユニット４０の入力端がＯＰＡの出力端に接続される。ＯＰＡの出力電圧が光電カップリングユニット４０の作動電圧ＶＤＤより低いと、光電カップリングユニット４０は、作動を開始し、ＰＷＭコントローラのＦＢ端にフィードバック電圧を供給する。ＰＷＭコントローラは、ＣＳ端とＦＢ端の電圧を比較することにより、ＰＷＭ端から出力されるＰＷＭ信号のデューティー比を制御する。ＯＰＡの出力電圧が０のとき、ＦＢ端の電圧が安定し、ＰＷＭコントローラのＰＷＭ端から出力されるＰＷＭ制御信号のデューティー比を一定値に保つ。ＰＷＭコントローラのＰＷＭ端は、スイッチ管Ｑ２を介して変圧器Ｔ１の一次巻線に接続され、第２アダプターの出力電圧及び出力電流を制御するために用いられる。ＰＷＭ端によって送信される制御信号のデューティー比が一定の場合、第２アダプターの出力電圧及び出力電流は安定する。
【０１５９】
また、ＭＣＵは、通信インターフェースをさらに含んでもよい。該通信インターフェースを介して充電される装置（例えば端末）と双方向通信を行い、第２アダプターの充電過程を制御することができる。例えば、充電インターフェースがＵＳＢインターフェースであり、該通信インターフェースは、該ＵＳＢインターフェースであってもよい。具体的には、第２アダプターは、ＵＳＢインターフェースの電源リードを使用して充電される装置（例えば端末）を充電し、ＵＳＢインターフェースのデータ線（Ｄ+及び/又はＤ-）を使用して充電される装置（例えば端末）と通信を行うことができる。
【０１６０】
また、光電カップリングユニット４０は、電圧安定ユニットに接続し、光学カップリングの作動電圧を安定させるようにしてもよい。例えば図２１に示すように、本発明の実施例における電圧安定ユニットは、低損失レギュレータ（Ｌｏｗ  Ｄｒｏｐｏｕｔ  Ｒｅｇｕｌａｔｏｒ，ＬＤＯ）によって実現することができる。
【０１６１】
図２２の実施例は、図２１の実施例と同様であるが、図２１における抵抗Ｒ１と抵抗Ｒ２から構成される電圧取得ユニットをディジタルポテンショメータ（該ディジタルポテンショメータは、上記の分圧ユニット３４に対応する）とを置き換えた点で異なり、ＯＰＡの逆相入力端が固定の第２基準電圧に接続され、ＭＣＵがディジタルポテンショメータの分圧比を調節することにより、第２アダプターの出力電圧及び出力電流を調節する。例えば、第２アダプターの出力電圧が５Ｖであることが望ましい場合、ディジタルポテンショメータの分圧比を調節することができ、これにより、第２アダプターの出力電圧が５Ｖである場合のディジタルポテンショメータの出力端の電圧を第２基準電圧と等しくする。同様に、第２アダプターの出力電圧が３Ｖであることが望ましい場合、ディジタルポテンショメータの分圧比を調整することにより、第２アダプターの出力電圧が３Ｖである場合のディジタルポテンショメータの出力端の電圧を第２基準電圧と等しくすることができる。
【０１６２】
図２１−図２２に示される実施例では、同期信号は、第１整流ユニット２０の整流により取得されるが、本発明の実施例はこれに限らず、第２アダプターの一次側から同期信号を取得してもよく、例えば図９に示されるような実現方法を採用することができる。また、サンプリング保持ユニットから同期信号を取得してもよく、例えば図２１−図２２に示されるような検流計の出力ポート（ＯＵＴＰＵＴ）から取得することもできる。
【０１６３】
図２１−図２２に示される実施例では、比較ユニット２４は、同期信号と基準電圧とを直接比較し、サンプリング保持ユニットが保持状態にあるか否かを判断するが、本発明の実施例はこれに限られない。図１３に示される実施方法を採用してもよく、コンデンサにより同期信号の直流信号をフィルタリングし、ゼロ交差点の交流信号を取得し、その後、ゼロ交差点の交流信号と基準電圧を比較してサンプリング保持ユニットが保持状態にあるか否かを判断してもよい。
【０１６４】
本文において、異なる符号で示される制御ユニットは、互いに分離された制御ユニットであってもよく、同一の制御ユニットであってもよい。好ましくは、いくつかの実施例において、第２アダプターは、ＭＣＵを含んでもよい。本文における制御ユニットは、いずれも該ＭＣＵを指す。
【０１６５】
以上は、図１−図２２を参照して、本発明の装置実施例を詳細に説明した。以下は、図２３を参照して、本発明の実施例の方法実施例を詳細に説明する。なお、方法の説明と装置の説明が互いに対応するものであるため、説明の簡略化のために、適宜重複した説明を省略する。
【０１６６】
図２３は、本発明の実施例により提供される充電制御方法の概略フローチャートである。図２３の方法は、例えば、図１乃至図２２で説明される第２アダプターに適用することができる。前記第２アダプターは、電力変換ユニットと、サンプリング保持ユニットとを含むことができる。前記電力変換ユニットは、入力される交流を変換し、前記第２アダプターの出力電圧及び出力電流を取得するために用いることができる。前記第２アダプターの出力電流が第１パルス波形の電流である。前記サンプリング保持ユニットが前記電力変換ユニットに接続される。前記サンプリング保持ユニットがサンプリング状態にあるとき、前記サンプリング保持ユニットは、前記第１パルス波形の電流に対してサンプリングを行うために用いられる。前記サンプリング保持ユニットが保持状態にあるとき、前記サンプリング保持ユニットは、前記第１パルス波形の電流のピーク値を保持するために用いられる。
【０１６７】
図２３の方法は、以下のような動作を含む。
２３１０、前記サンプリング保持ユニットが保持状態にあるか否かを判断する。
２３２０、前記サンプリング保持ユニットが前記保持状態にあると判断すると、前記サンプリング保持ユニットによって保持される前記第１パルス波形の電流のピーク値を取得する。
【０１６８】
好ましくは、いくつかの実施例では、前記サンプリング保持ユニットが保持状態にあるか否かを判断するステップは、周期が前記第１パルス波形の周期の１/Ｎである同期信号を受信するステップと、前記同期信号に基づいて、前記サンプリング保持ユニットが保持状態にあるか否かを判断するステップと、を含むことができる。なお、Ｎは、１以上の整数である。
【０１６９】
好ましくは、いくつかの実施例では、前記同期信号を受信するステップは、前記電力変換ユニットから前記同期信号を取得するステップを含むことができる。
【０１７０】
好ましくは、いくつかの実施例では、前記電力変換ユニットは、一次ユニットと、二次ユニットとを含む。前記電力変換ユニットから前記同期信号を取得するステップは、前記二次ユニットから前記同期信号を取得するステップを含むことができる。
【０１７１】
好ましくは、いくつかの実施例では、前記二次ユニットは、第１整流ユニットを含むことができる。前記第１整流ユニットが前記電流取得制御ユニットに接続される。前記第１整流ユニットは、前記一次ユニットから前記二次ユニットにカップリングする電流を整流し、第２パルス形式の電圧を取得し、前記第２パルス波形の電圧を前記同期信号として、前記電流取得制御ユニットに送信するために用いられる。
【０１７２】
好ましくは、いくつかの実施例では、前記電力変換ユニットは、一次ユニットと、二次ユニットとを含むことができる。前記電力変換ユニットから前記同期信号を取得するステップは、前記一次ユニットから前記同期信号を取得するステップを含むことができる。
【０１７３】
好ましくは、いくつかの実施例では、前記一次ユニットは、前記交流を整流し、第３パルス波形の電圧を取得するために用いられる。前記第３パルス波形と前記第１パルス波形の周期は同じである。前記一次ユニットは、光学カップリングユニットを介して前記第３パルス波形の電圧を前記第２アダプターの一次側から前記第２アダプターの二次側にカップリングし、第４パルス波形の電圧を取得し、前記第４パルス波形の電圧を前記同期信号として、前記電流取得制御ユニットに送信する。
【０１７４】
好ましくは、いくつかの実施例では、前記同期信号を受信するステップは、前記サンプリング保持ユニットから前記同期信号を取得するステップを含むことができる。
【０１７５】
好ましくは、いくつかの実施例では、前記サンプリング保持ユニットは、第１パルス波形の電流に対してサンプリングを行い、サンプリング電流を取得し、前記サンプリング電流をサンプリング電圧に変換し、該サンプリング電圧を同期信号として、電流取得制御ユニットに送信するために用いられる。前記サンプリング電圧は、第１パルス波形の電流の大きさを示す。
【０１７６】
好ましくは、いくつかの実施例では、前記同期信号に基づいて、前記サンプリング保持ユニットが保持状態にあるか否かを判断するステップは、前記同期信号に基づいて、前記第１パルス波形がピーク値又は立ち下がりエッジにあるか否かを判断するステップと、前記第１パルス波形がピーク値又は立ち下がりエッジにあると判断する場合に、前記サンプリング保持ユニットが保持状態にあると判断するステップと、を含むことができる。
【０１７７】
好ましくは、いくつかの実施例では、前記同期信号に基づいて、前記第１パルス波形がピーク値又は立ち下がりエッジにあるか否かを判断するステップは、前記同期信号の電圧と基準電圧との比較結果に基づいて、前記第１パルス波形がピーク値又は立ち下がりエッジにあるか否かを判断するステップを含むことが可能である。
【０１７８】
好ましくは、いくつかの実施例において、前記同期信号に基づいて、前記第１パルス波形がピーク値又は立ち下がりエッジにあるか否かを判断するステップは、前記同期信号における直流信号をフィルタリングし、ゼロ交差点の交流信号を取得するステップと、前記交流信号の電圧と基準電圧を比較するステップと、前記交流信号の電圧と前記基準電圧との比較結果に基づいて、前記第１パルス波形がピーク値又は立ち下がりエッジにあるか否かを判断するステップと、を含むことができる。前記基準電圧の電圧値は０である。
【０１７９】
好ましくは、いくつかの実施例では、前記第１パルス波形の周期と前記同期信号の周期が同じである。
【０１８０】
好ましくは、いくつかの実施例では、図２３の方法は、前記第１パルス波形の電流のピーク値を取得した後、前記サンプリング保持ユニットを制御して保持状態からサンプリング状態に変換させるステップをさらに含むことができる。
【０１８１】
好ましくは、いくつかの実施例では、前記サンプリング保持ユニットは、コンデンサを含む。前記サンプリング保持ユニットは、前記サンプリング保持ユニットのコンデンサにより、前記第１パルス波形の電流のピーク値を保持する。前記サンプリング保持ユニットを制御して保持状態からサンプリング状態に変換させるステップは、前記サンプリング保持ユニットにおけるコンデンサの両端の電荷を放出することにより、前記サンプリング保持ユニットを保持状態からサンプリング状態に変換させるステップを含むことができる。
【０１８２】
好ましくは、いくつかの実施例では、前記第２アダプターは、電圧調整ユニットをさらに含む。前記電圧調整ユニットが前記電力変換ユニットに接続され、前記第２アダプターの出力電圧を検出して調整するために用いられる。図２３の方法は、前記電圧調整ユニットにより、前記第１パルス波形の電流のピーク値を調整するステップをさらに含むことができる。
【０１８３】
好ましくは、いくつかの実施例では、前記電圧調整ユニットは、電圧サンプリングユニットと、電圧比較ユニットと、電圧制御ユニットとを含む。電圧サンプリングユニットが前記電力変換ユニットに接続され、前記第２アダプターの出力電圧に対してサンプリングを行い、第１電圧を取得するために用いられる。前記電圧比較ユニットの入力端が前記電圧サンプリングユニットに接続され、前記第１電圧と第１基準電圧を比較するために用いられる。前記電圧制御ユニットの入力端が前記電圧比較ユニットの出力端に接続される。前記電圧制御ユニットの出力端が前記電力変換ユニットに接続される。前記電圧制御ユニットは、前記第１電圧と前記第１基準電圧との比較結果に応じて、前記第２アダプターの出力電圧を制御する。前記電圧調整ユニットにより、前記第１パルス波形の電流のピーク値調整するステップは、前記第１基準電圧の電圧値を調整することにより、前記第１パルス波形の電流のピーク値を調整するステップを含むことができる。
【０１８４】
好ましくは、いくつかの実施例では、前記第１基準電圧の電圧値を調整することにより、前記第１パルス波形の電流のピーク値を調整するステップは、デジタルＤＡＣを介して前記第１基準電圧の電圧値を調整することにより、前記第１パルス波形の電流のピーク値を調整するステップを含むことができる。
【０１８５】
好ましくは、いくつかの実施例では、前記電圧調整ユニットは、分圧ユニットと、電圧比較ユニットと、電圧制御ユニットとを含む。前記分圧ユニットの入力端が前記電力変換ユニットに接続され、設定される分圧比に基づいて前記第２アダプターの出力電圧に対して分圧を行い、第２電圧を生成するために用いられる。前記電圧比較ユニットの入力端が前記分圧ユニットの出力端に接続され、前記第２電圧と第２基準電圧を比較するために用いられる。前記電圧制御ユニットの入力端が前記電圧比較ユニットの入力端に接続される。前記電圧制御ユニットの出力端が前記電力変換ユニットに接続される。前記電圧制御ユニットは、前記第２電圧と前記第２基準電圧との比較結果に応じて、前記第２アダプターの出力電圧を制御する。前記電圧調整ユニットにより、前記第１パルス波形の電流のピーク値を調整するステップは、前記分圧比を調整することにより、前記第１パルス波形の電流のピーク値を調整するステップを含むことができる。
【０１８６】
好ましくは、いくつかの実施例では、前記分圧ユニットは、ディジタルポテンショメータを含む。前記ディジタルポテンショメータの高電位端が前記電力変換ユニットに接続される。前記ディジタルポテンショメータの低電位端が接地される。前記ディジタルポテンショメータの出力端が前記電圧比較ユニットに接続される。前記分圧比を調整することにより、前記第１パルス波形の電流のピーク値を調整するステップは、前記ディジタルポテンショメータの分圧比を調整することにより、前記第１パルス波形の電流のピーク値を調整するステップを含むことができる。
【０１８７】
好ましくは、いくつかの実施例では、前記サンプリング保持ユニットは、電流サンプリングユニットと、電流保持ユニットとを含むことができる。電流サンプリングユニットが前記電力変換ユニットに接続され、前記第１パルス波形の電流を検出してサンプリング電流を取得し、前記サンプリング電流をサンプリング電圧に変換するために用いられる。前記サンプリング電圧は、前記第１パルス波形の電流の大きさを示す。電流保持ユニットが前記電流サンプリングユニット及び前記電流取得制御ユニットに接続される。前記電流保持ユニットは、前記電流サンプリングユニットから前記サンプリング電圧を受信し、前記サンプリング電圧に基づいて前記電流保持ユニットにおけるコンデンサを充電する。前記サンプリング保持ユニットによって保持される前記第１パルス波形の電流のピーク値を取得するステップは、前記サンプリング保持ユニットにおけるコンデンサの両端の電圧を取得することにより、前記第１パルス波形の電流のピーク値を取得するステップを含むことができる。
【０１８８】
好ましくは、いくつかの実施例では、前記サンプリング保持ユニットによって保持される前記第１パルス波形の電流のピーク値を取得するステップは、ＡＤＣにより前記第１パルス波形の電流のピーク値を取得するステップを含むことができる。
【０１８９】
好ましくは、いくつかの実施例では、前記第２アダプターは、第１充電モード及び第２充電モードをサポートする。前記第２アダプターの前記第２充電モードで充電される装置に対する充電速度は、前記第２アダプターの前記第１充電モードで前記充電される装置に対する充電速度より速い。前記第１パルス波形の電流が前記第２アダプターの前記第２充電モードでの出力電流である。図２３の方法は、前記第２アダプターが充電される装置と接続する過程において、前記充電される装置と双方向通信を行い、前記第２充電モードで前記第２アダプターの出力を制御するステップをさらに含むことができる。
【０１９０】
好ましくは、いくつかの実施例では、前記充電される装置と双方向通信を行い、前記第２充電モードで前記第２アダプターの出力を制御する過程は、前記充電される装置と双方向通信を行い、前記第２アダプターと前記充電される装置との間の充電モードをネゴシエーションするステップを含むことができる。
【０１９１】
好ましくは、いくつかの実施例では、前記充電される装置と双方向通信を行い、前記第２アダプターと前記充電される装置との間の充電モードをネゴシエーションするステップは、前記充電される装置に前記第２充電モードをオンにするか否かを問い合わせる第１命令を送信するステップと、前記充電される装置から送信された、前記第２充電モードをオンにすることに同意するかどうかを示す前記第１命令の応答コマンドを受信するステップと、前記充電される装置が前記第２充電モードをオンにすることに同意する場合に、前記第２充電モードを使用して前記充電される装置を充電するステップと、を含むことができる。
【０１９２】
好ましくは、いくつかの実施例では、前記充電される装置と双方向通信を行い、前記第２充電モードで前記第２アダプターの出力を制御する過程は、前記充電される装置と双方向通信を行い、前記第２充電モードで前記第２アダプターが出力する前記充電される装置を充電するための充電電圧を判断するステップと、前記第２アダプターの出力電圧に対して調整を行い、前記第２アダプターの出力電圧と、前記第２充電モードで前記第２アダプターが出力する前記充電される装置を充電するための充電電圧とを等しくするステップと、を含むことができる。
【０１９３】
好ましくは、いくつかの実施例では、前記充電される装置と双方向通信を行い、前記第２充電モードで前記第２アダプターが出力する前記充電される装置を充電するための充電電圧を判断するステップは、前記充電される装置に前記第２アダプターの出力電圧が現在の電池の電圧とマッチングするかどうかを問い合わせる第２命令を送信するステップと、前記充電される装置から送信される前記第２アダプターの出力電圧が前記電池の現在の電圧とマッチングするか、やや高い又はやや低いことを示す前記第２命令の応答コマンドを受信するステップと、を含むことができる。
【０１９４】
好ましくは、いくつかの実施例では、前記充電される装置と双方向通信を行い、前記第２充電モードで前記第２アダプターの出力を制御する過程は、前記充電される装置と双方向通信を行い、前記第２充電モードで前記第２アダプターが出力する前記充電される装置を充電するための充電電流を判断するステップと、前記第１パルス波形の電流のピーク値に対して調整を行い、前記第１パルス波形の電流のピーク値と、前記第２充電モードで前記第２アダプターが出力する前記充電される装置を充電するための充電電流とを等しくするステップと、を含むことが可能である。
【０１９５】
好ましくは、いくつかの実施例では、前記充電される装置と双方向通信を行い、前記第２充電モードで前記第２アダプターが出力する前記充電される装置を充電するための充電電流を判断するステップは、前記充電される装置に、現在サポートできる最大充電電流を問い合わせる第３命令を送信するステップと、前記充電される装置から送信された現在サポートできる最大充電電流を示す前記第３命令の応答コマンドを受信するステップと、前記充電される装置の現在サポートできる最大充電電流に応じて、前記第２充電モードの前記第２アダプターが出力する前記充電される装置を充電するための充電電流を判断するステップと、を含むことができる。
【０１９６】
好ましくは、いくつかの実施例では、前記充電される装置と双方向通信を行い、前記第２充電モードで前記第２アダプターの出力を制御する過程は、前記第２充電モードを使用して充電する過程において、前記充電される装置と双方向通信を行い、前記第１パルス波形の電流のピーク値を調整するステップを含むことができる。
【０１９７】
好ましくは、いくつかの実施例では、前記充電される装置と双方向通信を行い、前記第１パルス波形の電流のピーク値を調整するステップは、前記充電される装置に現在の電池の電圧を問い合わせる第４命令を送信するステップと、前記第２アダプターから送信される前記電池の現在の電圧を示す前記第４命令の応答コマンドを受信するステップと、前記電池の現在の電圧に応じて、前記第１パルス波形の電流のピーク値を調整するステップと、を含むことができる。
【０１９８】
好ましくは、いくつかの実施例では、前記第２アダプターは、充電インターフェースを含み、前記第２アダプターは、前記充電インターフェースにおけるデータ線を介して前記充電される装置と双方向通信を行う。
【０１９９】
好ましくは、いくつかの実施例では、前記第２アダプターは、第１充電モード及び第２充電モードをサポートする。前記第１充電モードが定電圧モードであり、前記第２充電モードが定電流モードである。前記第１パルス波形の電流が前記第２アダプターの前記第２充電モードの出力電流である。前記第２アダプターは、制御ユニットを含む。前記電力変換ユニットは、二次フィルタユニットを含む。前記制御ユニットが前記二次フィルタユニットに接続される。図２３の方法は、前記第１充電モードで前記二次フィルタユニットを制御して作動させ、前記第２アダプターの出力電圧の電圧値を固定値にするステップと、前記第２充電モードで前記二次フィルタユニットを制御して作動を停止させ、前記第２アダプターの出力電流を前記第１パルス波形の電流とするステップと、をさらに含むことができる。
【０２００】
好ましくは、いくつかの実施例では、前記第２アダプターは、前記第１パルス波形の電流を直接前記充電される装置の電池の両端に負荷して前記電池を直接充電する。
【０２０１】
好ましくは、いくつかの実施例では、前記第２アダプターは、移動端末を充電するための第２アダプターである。
【０２０２】
好ましくは、いくつかの実施例では、前記第２アダプターは、充電過程を制御するための制御ユニットを含み、前記制御ユニットがＭＣＵである。
【０２０３】
好ましくは、いくつかの実施例では、前記第２アダプターは、充電インターフェースを含み、前記充電インターフェースがＵＳＢインターフェースである。
【０２０４】
なお、本文における「第１アダプター」及び「第２アダプター」は、単に説明を便利にするためのものであって、本発明の実施例のアダプターの具体的なタイプについて限定するためのものでない。
【０２０５】
当業者であれば、本文に開示されている実施例に関連して説明された各例示のユニット及び計算法のステップを組み合わせれば、電子ハードウェア、又はコンピュータ・ソフトウェアと電子ハードウェアの組み合わせにより実現されることが理解されよう。これらの機能はハードウェアで実行されるかソフトウェアで実行されるかは、技術的ソリューションの特定のアプリケーション及び設計上の制約によって異なる。当業者であれば、それぞれの特定の用途に応じて、異なる方法で、説明された機能を実現させることができるが、これは本発明の範囲を超えて考慮されるべきではない。
【０２０６】
当業者には、説明上を簡便にするため、上記説明されたシステム、装置及びユニットの具体的な作業プロセスは、前述の方法実施例における対応する過程を参照することができ、ここで説明を省略することが明白に理解されよう。
【０２０７】
本出願が提供するいくつの実施例において、記載されたシステム、装置および方法は、他の方法でも実現され得ることが理解されるべきである。例えば、上述された装置の実施例は単に例示的なものであり、例えば、前記ユニットの区分は、単にロジック機能の区分であり、実際に実施される際には、他の区分方法で区分することができ、例えば、復数のユニット又はモジュールが組み合わせ又は他のシステムに集められることができ、又は一部の機能を無視したり、実行しなかったりすることができる。また、示され検討された相互カップリングや直接にカップリング、又は通信接続は一部のインタフェースや、装置、ユニットを介した間接カップリング又は通信接続であっても良いし、電気的または機械的、または他の接続方法であってもよい。
【０２０８】
分離部品として説明されたユニットは、物理的に分離されていなくてもよく、ユニットとして表示された部品は物理ユニットであってもよいが物理ユニットではなくても良く、すなわち、一つの場所に位置しても良いが、複数のネットユニットに分布されていてもよい。実際の必要に応じ、一部又は全部のユニットを選択して本実施例の提案の目的を実現することとしてもよい。
【０２０９】
また、本発明の各実施例では、各機能ユニットが一つの処理ユニットに集められても良いが、各ユニットが独立して物理的に存在しても良く、二つ以上のユニットが一つのユニットに統合されていても良い。
【０２１０】
これらの機能は、ソフトウェア機能ユニットの形で実装され、独立な商品として販売又は使用される際、一つのコンピュータ読取可能媒体中に記憶されることができる。このような理解に基づいて、本発明の技術案は、それ自体、又は従来技術に貢献する部分又は当該技術案の部分がソフトウェア商品の形で具現化することができ、当該コンピュータ・ソフトウェア商品が一つの記憶媒体に記憶され、いくつかの命令を含むことで一台のコンピュータ装置（パーソナル・コンピュータや、サーバー、又はネット装置等）に本発明の各実施例の前記方法の全部又は一部のステップを実行させることができる。記憶媒体には、ＵＳＢディスク、リムーバブルハードディスク、読み出し専用メモリ（ＲＯＭ，Ｒｅａｄ−Ｏｎｌｙ
Ｍｅｍｏｒｙ）、ランダムアクセスメモリ（ＲＡＭ，Ｒａｎｄｏｍ Ａｃｃｅｓｓ Ｍｅｍｏｒｙ）、ディスクまたはＣＤ等、様々なプログラムコードを記憶できる各種媒体を含む。
【０２１１】
以上は、単なる本発明の実施形態であるが、本発明の保護範囲はこれに限定されるものではなく、当分野に詳しい当業者であれば、本発明に記載された技術範囲内で誰でも容易に考えられる変形又は交換は、本発明の保護範囲に含まれる。従って、本発明の保護範囲はその特許請求の範囲により定義される。
【図１】
0006421253.tif 000002
【図２Ａ】
0006421253.tif 000003
【図２Ｂ】
0006421253.tif 000004
【図３】
0006421253.tif 000005
【図４】
0006421253.tif 000006
【図５】
0006421253.tif 000007
【図６】
0006421253.tif 000008
【図７】
0006421253.tif 000009
【図８】
0006421253.tif 000010
【図９】
0006421253.tif 000011
【図１０】
0006421253.tif 000012
【図１１】
0006421253.tif 000013
【図１２】
0006421253.tif 000014
【図１３】
0006421253.tif 000015
【図１４】
0006421253.tif 000016
【図１５】
0006421253.tif 000017
【図１６】
0006421253.tif 000018
【図１７】
0006421253.tif 000019
【図１８】
0006421253.tif 000020
【図１９Ａ】
0006421253.tif 000021
【図１９Ｂ】
0006421253.tif 000022
【図２０】
0006421253.tif 000023
【図２１】
0006421253.tif 000024
【図２２】
0006421253.tif 000025
【図２３】
0006421253.tif 000026